(57)【特許請求の範囲】
【請求項１】
第１の通信路および第２の通信路を含む複数の消費電力の異なる通信路のうち少なくとも１つを用いて撮像装置との通信を実行する通信部と、
操作部と、
前記操作部に対する操作状態に応じて、前記撮像装置が画像撮影処理を継続中に、前記通信部を介した前記撮像装置との通信に用いる通信路を選択する制御部を有する、
情報処理装置。
【請求項２】
前記制御部は、
前記操作部に対する無操作状態の継続期間が、予め規定した時間以上になった場合、
前記撮像装置が前記画像撮影処理を継続中に、前記通信部に、前記第１の通信路による通信を停止させ、前記第１の通信路よりも消費電力の小さい第２の通信路による通信のみを用いて前記撮像装置との通信を実行させる請求項１に記載の情報処理装置。
【請求項３】
前記制御部は、
前記通信部が、前記撮像装置との前記第１の通信路による通信を停止し、前記第２の通信路による通信のみを用いて前記撮像装置との通信を実行する場合、
前記撮像装置と第１の通信路を介して送受信していた通信情報を第２の通信路を介して送受信する設定とする通信路切り替え処理を実行する請求項１または２に記載の情報処理装置。
【請求項４】
前記制御部は、
表示部への前記第１の通信路を介して受信する前記撮像装置の撮影画像の表示を制御し、前記表示部への画像表示処理を停止している間において、さらに、無操作状態の継続期間が予め規定した時間に達した場合に、
前記通信部に、前記撮像装置との前記第１の通信路による通信を停止させ、前記第２の通信路による通信のみを用いて前記撮像装置との通信を実行させる、
請求項１〜３いずれかに記載の情報処理装置。
【請求項５】
前記制御部は、
前記操作部に対する無操作状態の継続期間が、予め規定した時間以上になった場合、前記第１の通信路を利用した前記撮像装置からの撮像画像の画像受信処理を停止する請求項１〜４いずれかに記載の情報処理装置。
【請求項６】
前記制御部は、
表示部への前記第１の通信路を介して受信する前記撮像装置の撮影画像の表示を制御し、
前記操作部に対する無操作状態の継続期間が、予め規定した時間以上になった場合、前記表示部に対する画像表示処理を停止する請求項１〜５いずれかに記載の情報処理装置。
【請求項７】
前記制御部は、
表示部への前記第１の通信路を介して受信する前記撮像装置の撮影画像の表示を制御し、
前記表示部への画像表示処理の実行と停止の切り替え処理を、前記操作部に対する操作情報の入力、または無操作状態の継続期間に応じて実行する請求項１〜６いずれかに記載の情報処理装置。
【請求項８】
画像撮影を実行する撮像部と、
第１の通信路および第２の通信路を含む複数の消費電力の異なる通信路のうち少なくとも１つを用いて情報処理装置との通信を実行する通信部と、
前記情報処理装置の操作部に対する操作状態に応じて、前記撮像部が画像撮影処理を継続中に、前記通信部を介した前記情報処理装置との通信に用いる通信路を選択する制御部を有する、
撮像装置。
【請求項９】
前記制御部は、
前記情報処理装置の操作部に対する無操作状態の継続期間が、予め規定した時間以上になった場合、
前記撮像装置が前記画像撮影処理を継続中に、前記通信部に、前記第１の通信路による通信を停止させ、前記第１の通信路よりも消費電力の小さい第２の通信路による通信のみを用いて前記情報処理装置との通信を実行させる請求項８に記載の撮像装置。
【請求項１０】
前記制御部は、
前記通信部が、前記情報処理装置との前記第１の通信路による通信を停止し、前記第２の通信路による通信のみを用いて前記情報処理装置との通信を実行する場合、前記情報処理装置と第１の通信路を介して送受信していた通信情報を第２の通信路を介して送受信する設定とする通信路切り替え処理を実行する請求項８または９に記載の撮像装置。
【請求項１１】
前記制御部は、
前記第１の通信路を介した前記撮像部の撮影画像の送信処理を停止している間において、さらに、前記情報処理装置の操作部に対する無操作状態の継続期間が予め規定した時間に達した場合に、
前記通信部に、前記情報処理装置との前記第１の通信路による通信を停止させ、前記第２の通信路による通信のみを用いて前記情報処理装置との通信を実行させる、
請求項８〜１０いずれかに記載の撮像装置。
【請求項１２】
前記制御部は、
前記情報処理装置の操作部に対する無操作状態の継続期間が、予め規定した時間以上になった場合、前記第１の通信路を利用した画像送信処理を停止する請求項８〜１１いずれかに記載の撮像装置。
【請求項１３】
前記制御部は、
前記第１の通信路を介した前記撮像部の撮影画像の送信処理の実行と
停止、の切り替え処理を、前記情報処理装置の操作部に対する操作情報の入力、または無操作状態の継続期間に応じて実行する請求項８〜１２いずれかに記載の撮像装置。
【請求項１４】
撮像装置と、
前記撮像装置の制御を実行する情報処理装置を有する情報処理システムであり、
前記情報処理装置は、
第１の通信路および第２の通信路を含む複数の消費電力の異なる通信路のうち少なくとも１つを用いて前記撮像装置との通信を実行する通信部と、
操作部と、
前記操作部に対する操作状態に応じて、前記撮像装置が画像撮影処理を継続中に、前記情報処理装置の前記通信部を介した前記撮像装置との通信に用いる通信路を選択する制御部を有し、
前記撮像装置は、
前記情報処理装置との通信を実行する通信部と、
前記撮像装置の前記通信部を介した前記情報処理装置との通信に用いる通信路を選択する制御部を有する、
情報処理システム。
【請求項１５】
前記撮像装置および情報処理装置の各制御部は、
前記情報処理装置の操作部に対する無操作状態の継続期間が、予め規定した時間以上になった場合、
前記撮像装置が前記画像撮影処理を継続中に、前記撮像装置および情報処理装置の各通信部に、第１の通信路による通信を停止させ、前記第１の通信路よりも消費電力の小さい第２の通信路による通信のみを用いて相互通信を実行させる請求項１４に記載の情報処理システム。
【請求項１６】
情報処理装置において実行する情報処理方法であり、
前記情報処理装置は、
第１の通信路および第２の通信路を含む複数の消費電力の異なる通信路のうち少なくとも１つを用いて撮像装置との通信を実行する通信部と、
操作部と、
制御部を有し、
前記制御部が、前記操作部に対する操作状態に応じて、前記撮像装置が画像撮影処理を継続中に、前記通信部を介した前記撮像装置との通信に用いる通信路を選択する、
情報処理方法。
【請求項１７】
撮像装置において実行する情報処理方法であり、
前記撮像装置は、
画像撮影を実行する撮像部と、
第１の通信路および第２の通信路を含む複数の消費電力の異なる通信路のうち少なくとも１つを用いて情報処理装置との通信を実行する通信部と、
制御部を有し、
前記制御部が、前記情報処理装置の操作部に対する操作状態に応じて前記撮像部が画像撮影処理を継続中に、前記通信部を介した前記情報処理装置との通信に用いる通信路を選択する、
情報処理方法。
【請求項１８】
情報処理装置において情報処理を実行させるプログラムであり、
前記情報処理装置は、
第１の通信路および第２の通信路を含む複数の消費電力の異なる通信路のうち少なくとも１つを用いて撮像装置との通信を実行する通信部と、
操作部と、
制御部を有し、
前記プログラムは、前記制御部に、
前記操作部に対する操作状態に応じて、前記撮像装置が画像撮影処理を継続中に、前記通信部を介した前記撮像装置との通信に用いる通信路を選択させるプログラム。
【請求項１９】
撮像装置において情報処理を実行させるプログラムであり、
前記撮像装置は、
画像撮影を実行する撮像部と、
第１の通信路および第２の通信路を含む複数の消費電力の異なる通信路のうち少なくとも１つを用いて情報処理装置との通信を実行する通信部と、
制御部を有し、
前記プログラムは、前記制御部に、
前記情報処理装置の操作部に対する操作状態に応じて、前記撮像部が画像撮影処理を継続中に、前記通信部を介した前記情報処理装置との通信に用いる通信路を選択させるプログラム。
【発明の詳細な説明】
【技術分野】
【０００１】
本開示は、情報処理装置、撮像装置、情報処理システム、および情報処理方法、並びにプログラムに関する。さらに詳細には、カメラの撮影処理や画像表示処理の制御をリモコン操作によって実行する情報処理装置、撮像装置、情報処理システム、および情報処理方法、並びにプログラムに関する。
【背景技術】
【０００２】
近年、デジタルカメラやデジタルビデオカメラの小型軽量化が進み、また、通信機能を備えたカメラの利用、開発が進んでいる。
例えば、カメラと相互通信可能なリモコンに画像表示用のディスプレイを設け、リモコン操作によって、カメラによる画像撮影の開始や停止等の制御を行い、撮影画像をリモコンのディスプレイに表示可能としたシステムがある。
【０００３】
なお、リモコンを利用してカメラ動作を制御可能としたシステムを開示した従来技術して、例えば、特許文献１（特開２０１５−１２７９２０号公報）がある。
【０００４】
カメラ制御をリモコンによって行うシステムでは、例えばカメラによる撮影画像をリモコンに転送し、リモコン側の表示部（ディスプレイ）に表示し、リモコン操作者であるユーザが、画像の録画開始や停止処理などの指示を実行することができる。
【０００５】
カメラやリモコンは、それぞれバッテリ（電池）を搭載し、バッテリからの電源供給によって、画像撮影処理、画像表示処理、さらに、リモコンとカメラ間の通信処理など、様々なデータ処理を実行する。
【０００６】
しかし、画像転送や、画像表示処理、その他のデータ通信処理には、多くの電力が消費される。一方、カメラやリモコンに装着されるバッテリの容量には限りがあり、できるだけ消費電力を低減することが要求される。
【先行技術文献】
【特許文献】
【０００７】
【特許文献１】特開２０１５−１２７９２０号公報
【発明の概要】
【発明が解決しようとする課題】
【０００８】
本開示は、例えば、上述の問題点に鑑みてなされたものであり、例えばリモコンを利用してカメラの動作制御を行うシステムにおいて、消費電力の低減を実現する情報処理装置、撮像装置、情報処理システム、および情報処理方法、並びにプログラムを提供することを目的とする。
【課題を解決するための手段】
【０００９】
本開示の第１の側面は、
複数の異なる通信路を選択適用して外部装置との通信を実行する通信部と、
操作部と、
前記操作部に対する操作状態に応じて装置モードを変更する制御部を有し、
前記制御部は、
前記装置モードの変更に応じて、前記通信部を介した通信形態を変更する情報処理装置にある。
【００１０】
さらに、本開示の第２の側面は、
画像撮影を実行する撮像部と、
複数の異なる通信路を選択適用してリモコンとの通信を実行する通信部と、
前記リモコンの操作部に対する操作状態に応じて装置モードを変更する制御部を有し、
前記制御部は、
前記装置モードの変更に応じて、前記通信部を介した通信形態を変更する撮像装置にある。
【００１１】
さらに、本開示の第３の側面は、
撮像装置と、
前記撮像装置の制御を実行するリモコン装置を有する情報処理システムであり、
前記リモコン装置は、
複数の異なる通信路を選択適用して撮像装置との通信を実行する通信部と、
操作部と、
前記操作部に対する操作状態に応じて装置モードを変更する制御部を有し、
前記撮像装置は、
複数の異なる通信路を選択適用してリモコン装置との通信を実行する通信部と、
前記リモコン装置の操作部に対する操作状態に応じて装置モードを変更する制御部を有し、
前記リモコン装置、および撮像装置の制御部は、
前記装置モードの変更に応じて、各装置の通信部を介した通信形態を変更する情報処理システムにある。
【００１２】
さらに、本開示の第４の側面は、
情報処理装置において実行する情報処理方法であり、
前記情報処理装置は、
複数の異なる通信路を選択適用して外部装置との通信を実行する通信部と、
操作部と、
前記操作部に対する操作状態に応じて装置モードを変更する制御部を有し、
前記制御部が、
前記装置モードの変更に応じて、前記通信部を介した通信形態を変更する情報処理方法にある。
【００１３】
さらに、本開示の第５の側面は、
撮像装置において実行する情報処理方法であり、
前記撮像装置は、
画像撮影を実行する撮像部と、
複数の異なる通信路を選択適用してリモコンとの通信を実行する通信部と、
前記リモコンの操作部に対する操作状態に応じて装置モードを変更する制御部を有し、
前記制御部が、
前記装置モードの変更に応じて、前記通信部を介した通信形態を変更する情報処理方法にある。
【００１４】
さらに、本開示の第６の側面は、
情報処理装置において情報処理を実行させるプログラムであり、
前記情報処理装置は、
複数の異なる通信路を選択適用して外部装置との通信を実行する通信部と、
操作部と、
前記操作部に対する操作状態に応じて装置モードを変更する制御部を有し、
前記プログラムは、前記制御部に、
前記装置モードの変更に応じて、前記通信部を介した通信形態を変更させるプログラムにある。
【００１５】
さらに、本開示の第７の側面は、
撮像装置において情報処理を実行させるプログラムであり、
前記撮像装置は、
画像撮影を実行する撮像部と、
複数の異なる通信路を選択適用してリモコンとの通信を実行する通信部と、
前記リモコンの操作部に対する操作状態に応じて装置モードを変更する制御部を有し、
前記プログラムは、前記制御部に、
前記装置モードの変更に応じて、前記通信部を介した通信形態を変更させるプログラムにある。
【００１６】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００１７】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１８】
本開示の一実施例の構成によれば、複数の異なる通信路を併用する通信装置間において、設定モードに応じて通信形態を変更することで消費電力の低減が実現される。
具体的には、例えば、撮像装置と、撮像装置の制御を実行するリモコン装置を有する情報処理システムにおいて、撮像装置およびリモコン装置の各通信部は、ワイファイ（Ｗｉ−Ｆｉ）通信と、ブルートゥース（ＢＴ：Ｂｌｕｅｔｏｏｔｈ（登録商標））通信を選択適用して相互通信を実行する構成であり、撮像装置およびリモコン装置の各制御部は、リモコン装置の操作部に対する無操作状態の継続期間が、予め規定した時間以上になった場合、ワイファイ（Ｗｉ−Ｆｉ）通信を停止し、ブルートゥース（ＢＴ：Ｂｌｕｅｔｏｏｔｈ（登録商標））通信のみを選択適用して相互通信を実行する。
本構成により、複数の異なる通信路を併用する通信装置間において、設定モードに応じて通信形態を変更することで消費電力の低減が実現される。
なお、本明細書に記載された効果はあくまで例示であって限定されるものではなく、また付加的な効果があってもよい。
【図面の簡単な説明】
【００１９】
【図１】ビデオカメラとリモコンの利用例について説明する図である。
【図２】リモコンの表示部の表示データの一例について説明する図である。
【図３】リモコンの表示部の表示データであるアイコンについて説明する図である。
【図４】リモコンの表示部の表示データの例について説明する図である。
【図５】リモコンの表示部の表示データの例について説明する図である。
【図６】ビデオカメラの表示部の表示データの例について説明する図である。
【図７】ビデオカメラとリモコン間の通信例について説明する図である。
【図８】Ｗｉ−Ｆｉ通信と、ブルートゥース（ＢＴ）通信の特徴について説明する図である。
【図９】モードに応じたビデオカメラとリモコン間の通信態様の設定例について説明する図である。
【図１０】リモコンの状態遷移、およびモード遷移について説明する図である。
【図１１】ビデオカメラの状態遷移、およびモード遷移について説明する図で
【図１２】リモコンの状態遷移、およびモード遷移に応じた表示部の表示データの遷移シーケンスについて説明する図である。
【図１３】本開示の構成を適用したその他の実施例について説明する図である。
【図１４】本開示の構成を適用したその他の実施例におけるモード対応の通信態様変更例について説明する図である。
【図１５】ビデオカメラとリモコンの構成例について説明する図である。
【図１６】リモコンやＰＣのハードウェアの構成例について説明する図である。
【発明を実施するための形態】
【００２０】
以下、図面を参照しながら本開示の情報処理装置、撮像装置、情報処理システム、および情報処理方法、並びにプログラムの詳細について説明する。なお、説明は以下の項目に従って行なう。
１．リモコン操作を可能としたカメラを有する情報処理システムの構成例について
２．ワイファイ（Ｗｉ−Ｆｉ）通信と、ブルートゥース（ＢＴ）通信について
３．ビデオカメラとリモコン間の通信処理とモード遷移について
４．リモコンにおける状態遷移、およびモード遷移について
５．ビデオカメラにおける状態遷移と、モード遷移について
６．リモコンの表示部の表示データの遷移シーケンスについて
７．その他の実施例について
８．情報処理装置の構成について
９．本開示の構成のまとめ
【００２１】
［１．リモコン操作を可能としたカメラを有する情報処理システムの構成例について］
まず、リモコン操作を可能としたカメラを有する情報処理システムの構成例について説明する。
図１は、リモコン操作を可能としたカメラの利用例の一例を示す図である。
【００２２】
昨今のカメラやビデオカメラは、小型化軽量化が進み、図１に示すように、例えばユーザ（撮影者）の頭部等、体に固定するように装着しても、さほど、重さを感じることなく撮影することができる。
【００２３】
しかし、図１に示すように、ビデオカメラ１０を、ユーザの頭部に装着すると、ビデオカメラ１０本体の操作部を操作することができず、またビデオカメラ１０本体の表示部の表示画像を見ることができない。
ビデオカメラ１０の撮影開始や停止処理、撮影画像の確認処理は、図１に示すユーザの腕に装着した表示部（モニタ）付きのリモコン２０を利用して実行することができる。
【００２４】
ビデオカメラ１０と、リモコン２０は、例えば、ワイファイ（Ｗｉ−Ｆｉ）通信、あるいはブルートゥース（ＢＴ：Ｂｌｕｅｔｏｏｔｈ（登録商標））通信等を実行する通信部を備え、画像や、操作情報、状態情報（ステータス）等の様々な情報を相互に通信することが可能な構成を持つ。
【００２５】
図２に、リモコン２０の構成と、リモコン２０の表示部２１の表示例を示す。
図２に示すように、リモコン２０は、表示部２１、操作部２２を有する。なお、表示部２１は、タッチパネル型の操作部としても利用可能な構成である。
表示部２１には、例えば図２（ａ）に示す表示データが表示される。
【００２６】
図２（ａ）に示す表示部２１の表示例は、ビデオカメラ１０による撮影画像の表示状態を示す。
表示部の中央表示領域には、ビデオカメラ１０の撮像部を介して撮影された画像が表示される。なお、表示部２１には、録画処理の実行中、停止中に関わらず、ビデオカメラ１０の撮像部を介して撮影された画像を表示することができる。
【００２７】
ユーザ（撮影者）は、例えば、表示部２１の表示画像を観察しながら、録画処理の開始、停止処理、あるいは静止画の撮影等、ビデオカメラ１０に対する撮影制御を実行することができる。これらの処理は、操作部２２の操作によって、実行可能である。
操作部２２の操作情報が、リモコン２０の通信部からビデオカメラ１０の通信部に送信され、ビデオカメラ１０の制御部が受信した操作情報に応じた処理を実行する。
【００２８】
なお、リモコン２０の表示部２１にこれらの操作用の操作ボタン等からなるＵＩ（ユーザインタフェース）を表示して、これらのＵＩに対する操作（タッチ）等によって、画像の撮影開始、停止等の指示を入力することも可能である。
【００２９】
なお、図２（ａ）に示すように、表示部２１には、撮影画像の他、上部および下部等の表示領域に、様々な情報が表示される。
例えば、表示部２１の上部領域には、ビデオカメラ１０との通信状態情報としてのワイファイ（Ｗｉ−Ｆｉ）通信、ブルートゥース（ＢＴ：Ｂｌｕｅｔｏｏｔｈ（登録商標））通信の各通信状態情報、時間情報、バッテリ状態情報等が表示される。
【００３０】
また、表示部２１の下部領域には、録画処理の実行、停止状態情報、記録時間情報、録画画像の画質情報、その他の録画態様情報等が表示される。
図に示す例では、録画処理の実行、停止状態情報は、録画実行中は点灯（白マル）、録画停止中は消灯（黒マル）する設定の録画実行停止識別ランプを利用した例を示している。
【００３１】
図２（ａ）に示す表示部２１の表示例の上部に表示されるアイコンの一部の表示態様の例について、図３を参照して説明する。
図３には、以下のアイコンに関する説明を示している。
（１）ワイファイ（Ｗｉ−Ｆｉ）接続情報
（２）ブルートゥース（ＢＴ：Ｂｌｕｅｔｏｏｔｈ（登録商標））接続情報
（３）カメラバッテリ残量情報
（４）リモコンバッテリ残量情報
これらは、図２に示すリモコン２０の表示部２１の上部に表示されるアイコンの一部である。
【００３２】
（１）ワイファイ（Ｗｉ−Ｆｉ）接続情報は、図３に示すように、リモコン２０とカメラ１０間においてＷｉ−Ｆｉ通信が可能なＷｉ−Ｆｉ接続状態では、アイコンが表示状態に設定される。
一方、リモコン２０とカメラ１０間においてＷｉ−Ｆｉ通信ができないＷｉ−Ｆｉ非接続状態では、アイコンが非表示状態となる。
【００３３】
（２）ブルートゥース（ＢＴ：Ｂｌｕｅｔｏｏｔｈ（登録商標））接続情報も同様であり、図３に示すように、リモコン２０とカメラ１０間においてブルートゥース（ＢＴ：Ｂｌｕｅｔｏｏｔｈ（登録商標））通信が可能なブルートゥース（ＢＴ）接続状態では、アイコンが表示状態に設定される。
一方、リモコン２０とカメラ１０間においてブルートゥース（ＢＴ）通信ができないブルートゥース（ＢＴ）非接続状態では、アイコンが非表示状態となる。
【００３４】
（３）カメラバッテリ残量情報は、ビデオカメラ１０に装着されたバッテリのバッテリ残量を示す情報であり、図３に示すように、バッテリ残量に応じて、電池型のアイコンの表示態様が変化する設定である。
【００３５】
（４）リモコンバッテリ残量情報は、リモコン２０に装着されたバッテリのバッテリ残量を示す情報であり、図３に示すように、バッテリ残量に応じて、電池型のアイコンの表示態様が変化する設定である。
【００３６】
リモコン２０は、これらの状態表示に必要な情報を、リモコン関連情報については、リモコン２０内部から取得し、ビデオカメラ関連情報については、ビデオカメラ１０からの通信データに基づいて取得する。ビデオカメラ１０の情報については、ワイファイ（Ｗｉ−Ｆｉ）通信、またはブルートゥース（ＢＴ）通信を介して、随時、受信し、受信情報に基づく表示を行う。
【００３７】
リモコン２０の表示部２１の表示例について、図４、図５を参照して説明する。
図４は、ビデオカメラ１０において録画処理が実行されている場合のリモコン２０の表示部２１の複数の表示例を示している。
図４には、以下の４状態の表示例を示している。
（１ａ）撮影画像表示状態（Ｗｉ−Ｆｉ接続状態）
（１ｂ）撮影画像非表示状態（Ｗｉ−Ｆｉ接続状態）
（１ｃ）Ｗｉ−Ｆｉ接続待機状態
（１ｄ）Ｗｉ−Ｆｉ接続停止状態
【００３８】
（１ａ）撮影画像表示状態（Ｗｉ−Ｆｉ接続状態）は、ビデオカメラ１０と、リモコン２０間においてＷｉ−Ｆｉ接続がなされ、Ｗｉ−Ｆｉ通信によって、ビデオカメラ１０の撮影画像（＝録画処理画像）がリモコン２０に送信され、リモコン２０の表示部２１の中央領域に画像が表示された状態である。
さらに、表示部２１の下部には、録画実行ランプが点灯し、録画態様情報が表示される。
表示部の上部には、Ｗｉ−Ｆｉアイコン、ブルートゥース（ＢＴ）アイコンが表示され、ビデオカメラ１０とリモコン２０間のＷｉ−Ｆｉ接続、ＢＴ接続、何れも有効であり、Ｗｉ−Ｆｉ通信、ＢＴ通信が実行されていることを示している。
【００３９】
（１ｂ）撮影画像非表示状態（Ｗｉ−Ｆｉ接続状態）は、ビデオカメラ１０と、リモコン２０間においてＷｉ−Ｆｉ接続がなされているが、Ｗｉ−Ｆｉ通信によるビデオカメラ１０の撮影画像（＝録画処理画像）のリモコン２０に対する送信が停止されている状態である。リモコン２０の表示部２１の中央領域に画像は表示されない。
【００４０】
本開示の構成では、電力消費を抑制するため、ビデオカメラ１０による録画処理が実行中でも、予め規定した条件、例えばユーザによるリモコン２０に対する無操作状態が所定期間継続した場合、ビデオカメラ１０からリモコン２０に対する画像送信を停止し、リモコン２０における画像表示処理を停止する。
【００４１】
このような画像の送信停止処理、表示の停止処理を行なうことにより、ビデオカメラ１０やリモコン２０に搭載したバッテリの消費を抑制し、省電力化を実現している。
画像送信、表示処理の停止条件等については、後段において詳細に説明する。
【００４２】
なお、この撮影画像非表示状態においても、表示部２１の下部には、録画実行ランプが点灯し、録画態様情報が表示される。
表示部の上部には、Ｗｉ−Ｆｉアイコン、ブルートゥース（ＢＴ）アイコンが表示され、ビデオカメラ１０とリモコン２０間のＷｉ−Ｆｉ接続、ＢＴ接続、何れも有効であり、Ｗｉ−Ｆｉ通信、ＢＴ通信が実行されていることを示している。
ユーザは、これらの情報に基づいて、録画が実行中であることや、通信が維持されていることなどを確認することができる。
【００４３】
なお、ユーザは、「（１ｂ）撮影画像非表示状態（Ｗｉ−Ｆｉ接続状態）」において、リモコン２０の操作部の操作、あるいは、タッチパネルとして機能する表示部２１をタッチ操作するなど、何らかの操作を行うと、リモコン２０は、この操作情報を画像表示要求として解釈し、リモコン２０からビデオカメラ１０に画像送信要求が出力される。
【００４４】
ビデオカメラ１０は、リモコン２０からの要求を受信すると、画像送信を開始する。
この処理によって、図４に示す「（１ｂ）撮影画像非表示状態（Ｗｉ−Ｆｉ接続状態）」から、図４に示す「（１ａ）撮影画像表示状態（Ｗｉ−Ｆｉ接続状態）」に遷移する処理が行われる。
これらの一連の遷移処理については、後段で詳細に説明する。
【００４５】
（１ｃ）Ｗｉ−Ｆｉ接続待機状態は、ビデオカメラ１０と、リモコン２０間においてＷｉ−Ｆｉ接続が未接続状態であるが、接続状態に移行する段階の表示部２１の表示例である。
Ｗｉ−Ｆｉ接続アイコンは非表示状態となる。
ただし、録画ランプは点灯状態であり、録画処理は継続している。
（１ｃ）の状態で、Ｗｉ−Ｆｉ接続がなされた場合には、図４に示す「（１ａ）撮影画像表示状態（Ｗｉ−Ｆｉ接続状態）」に遷移する。
【００４６】
この（１ｃ）の表示状態は、例えばビデオカメラ１０における録画処理実行中に、Ｗｉ−Ｆｉ接続が一時的に中断した場合等の表示例である。
このような場合、ビデオカメラ１０における録画処理は継続したまま、リモコン−ビデオカメラ間のＷｉ−Ｆｉ接続が試行され、接続が回復すると、図４に示す「（１ａ）撮影画像表示状態（Ｗｉ−Ｆｉ接続状態）」に遷移し、録画処理がそのまま継続する。
【００４７】
（１ｄ）Ｗｉ−Ｆｉ接続停止状態は、ビデオカメラ１０と、リモコン２０間においてＷｉ−Ｆｉ接続が未接続状態であり、接続の試行処理も行われていない状態の表示部２１の表示例である。
Ｗｉ−Ｆｉ接続アイコンは非表示状態となる。
ただし、録画ランプは点灯状態であり、録画処理は継続している。
【００４８】
本開示のシステムでは、省電力モードの１つとして、ビデオカメラ１０と、リモコン２０間においてＷｉ−Ｆｉ通信を意図的に停止し、ブルートゥース（ＢＴ）のみの通信を継続させるモード［ブルートゥース（ＢＴ）単独通信モード］を設定している。
この、ブルートゥース（ＢＴ）単独通信モードでは、ビデオカメラ１０と、リモコン２０間におけるＷｉ−Ｆｉ通信を停止し、Ｗｉ−Ｆｉ通信を介した撮影画像の転送も停止する。
【００４９】
本開示の構成では、電力消費を抑制するため、ビデオカメラ１０による録画処理が実行中でも、予め規定した条件、例えばユーザによるリモコンに対する無操作状態が所定期間、継続した場合、ビデオカメラ１０とリモコン２０間のＷｉ−Ｆｉ通信を停止し、撮影画像の転送も停止し、必要最小限の情報をブルートゥース（ＢＴ）通信を利用して送受信する。このモードをブルートゥース（ＢＴ）単独通信モードと呼ぶ。
【００５０】
このブルートゥース（ＢＴ）単独通信モードを利用することによって、ビデオカメラ１０やリモコン２０に搭載したバッテリの消費をさらに抑制し、さらなる省電力化を実現することが可能となる。
このモード遷移処理等については、後段において詳細に説明する。
【００５１】
なお、図４（１ｄ）に示すＷｉ−Ｆｉ接続停止状態においても、表示部２１の下部には、録画実行ランプが点灯し、録画態様情報が表示され、ユーザは録画処理が継続していることを認識できる。
ただし、表示部の上部のＷｉ−Ｆｉアイコンは消灯し、ブルートゥース（ＢＴ）アイコンは表示状態とされる。
ビデオカメラ１０とリモコン２０間では、ブルートゥース（ＢＴ）通信のみ有効であり、Ｗｉ−Ｆｉ通信はできないが、ＢＴ通信が実行されていることを示している。
ユーザは、これらの情報に基づいて、録画が実行中であることや、通信状態を確認することができる。
【００５２】
なお、ユーザは、「（１ｄ）Ｗｉ−Ｆｉ接続停止状態」において、リモコン２０の操作部の操作、あるいは、タッチパネルとして機能する表示部２１をタッチ操作するなど、何らかの操作を行うと、リモコン２０は、この操作情報を画像表示要求として解釈し、リモコン２０とビデオカメラ１０間のＷｉ−Ｆｉ接続の回復処理を実行し、さらに、ビデオカメラ１０に対して、画像送信要求を出力する。
【００５３】
ビデオカメラ１０は、リモコン２０からの要求を受信すると、再接続されたＷｉ−Ｆｉ通信路を介して画像送信を開始する。
この処理によって、図４に示す「（１ｄ）Ｗｉ−Ｆｉ接続停止状態」から、図４に示す「（１ａ）撮影画像表示状態（Ｗｉ−Ｆｉ接続状態）」に遷移する処理が行われる。
これらの一連の処理については、後段で詳細に説明する。
【００５４】
次に、リモコン２０の表示部２１の表示例として、図５を参照して、ビデオカメラ１０における録画処理が実行されていない場合の表示例について説明する。
図５には、ビデオカメラ１０における録画処理が実行されていない場合のリモコン２０の表示部２１の複数の表示例を示している。
【００５５】
図５には、以下の４状態の表示例を示している。
（２ａ）撮影画像表示状態（Ｗｉ−Ｆｉ接続状態）
（２ｂ）Ｗｉ−Ｆｉ接続待機状態
（２ｃ）Ｗｉ−Ｆｉ接続停止状態
【００５６】
なお、ビデオカメラ１０において録画処理が実行されていない場合でも、ビデオカメラ１０の電源がＯＮである限り、ビデオカメラ１０の撮像部を介して画像が撮り込まれており、この撮影画像が、ビデオカメラ１０からリモコン２０に送信される。
【００５７】
（２ａ）撮影画像表示状態（Ｗｉ−Ｆｉ接続状態）は、ビデオカメラ１０と、リモコン２０間においてＷｉ−Ｆｉ接続がなされ、Ｗｉ−Ｆｉ通信によって、ビデオカメラ１０の撮影画像（＝録画処理がなされていない撮影画像）がリモコン２０に送信され、リモコン２０の表示部２１の中央領域に画像が表示される。
【００５８】
しかし、この場合、表示部２１の下部の録画実行ランプは消灯し、録画態様情報も表示されない。
ユーザは、これらの情報から、表示画像が録画されていないことを識別することができる。
【００５９】
表示部の上部には、Ｗｉ−Ｆｉアイコン、ブルートゥース（ＢＴ）アイコンが表示され、ビデオカメラ１０とリモコン２０間のＷｉ−Ｆｉ接続、ＢＴ接続、何れも有効であり、Ｗｉ−Ｆｉ通信、ＢＴ通信が実行されていることを示している。
【００６０】
（２ｂ）Ｗｉ−Ｆｉ接続待機状態は、ビデオカメラ１０と、リモコン２０間においてＷｉ−Ｆｉ接続が未接続状態であるが、接続状態に移行する段階の表示部２１の表示例である。
Ｗｉ−Ｆｉ接続アイコンは非表示状態となる。
録画ランプは消灯状態であり、録画処理は行われていない。
（２ｂ）の状態で、Ｗｉ−Ｆｉ接続がなされた場合には、図５に示す「（２ａ）撮影画像表示状態（Ｗｉ−Ｆｉ接続状態）」に遷移する。
【００６１】
この（２ｂ）の表示状態は、例えばビデオカメラ１０において、図５（２ａ）の撮影画像表示中に、Ｗｉ−Ｆｉ接続が一時的に中断した場合等の表示例である。
このような場合、ビデオカメラ１０における録画処理は停止したまま、リモコンビデオ間のＷｉ−Ｆｉ接続が試行され、接続が回復すると、図５に示す「（２ａ）撮影画像表示状態（Ｗｉ−Ｆｉ接続状態）」に遷移し、撮影画像の表示が行われる。
【００６２】
（２ｃ）Ｗｉ−Ｆｉ接続停止状態は、ビデオカメラ１０と、リモコン２０間においてＷｉ−Ｆｉ接続が未接続状態であり、接続の試行処理も行われていない状態の表示部２１の表示例である。
Ｗｉ−Ｆｉ接続アイコンは非表示状態となる。
録画ランプも消灯灯状態であり、録画処理は行われていない。
【００６３】
図４、図５を参照して説明したように、リモコン２０の表示部２１は、状態に応じて様々な異なる表示態様に変更される。
これらの表示遷移処理については、後段で詳細に説明する。
【００６４】
［２．ワイファイ（Ｗｉ−Ｆｉ）通信と、ブルートゥース（ＢＴ）通信について］
次に、ビデオカメラ１０と、リモコン２０との間で実行されるワイファイ（Ｗｉ−Ｆｉ）通信と、ブルートゥース（ＢＴ：Ｂｌｕｅｔｏｏｔｈ（登録商標））通信について説明する。
【００６５】
図７に示すように、ビデオカメラ１０と、リモコン２０は、それぞれ通信部を有し、これら双方の通信部を介して、ワイファイ（Ｗｉ−Ｆｉ）通信と、ブルートゥース（ＢＴ：Ｂｌｕｅｔｏｏｔｈ（登録商標））通信が実行される。
【００６６】
Ｗｉ−Ｆｉの通信規格としては、ＩＥＥＥ８０２．１１ａ／ｂ／ｇ／ｎ等の複数の規格がある。
Ｗｉ−Ｆｉ通信では２．４ＧＨｚ、５ＧＨｚの２種類の帯域のいずれかを選択して通信することが可能であり、利用帯域が広く、また通信速度が比較的早く、通信可能距離も比較的大きい（１００ｍ程度）という特徴があり、大容量のデータを安定して通信できるという特徴がある。
【００６７】
一方、ブルートゥース（ＢＴ：Ｂｌｕｅｔｏｏｔｈ（登録商標））通信は、利用可能な帯域は２．４ＧＨｚの一種類であり、通信速度はＷｉ−Ｆｉより遅く、また通信可能距離もＷｉ−Ｆｉに比較して短い（１０ｍ程度）という特徴がある。
しかし、Ｗｉ−Ｆｉ通信に比較して消費電力が少ないというメリットがある。
【００６８】
なお、ブルートゥース（ＢＴ：Ｂｌｕｅｔｏｏｔｈ（登録商標））通信にも複数の規格があり、従来のブルートゥース（ＢＴ：Ｂｌｕｅｔｏｏｔｈ（登録商標））通信より、消費電力を低減させたＢＴＬＥ（Ｂｌｕｔｏｏｔｈ（登録商標）  Ｌｏｗ  Ｅｎｅｒｇｙ）規格がある。なお、「ＢＴＬＥ」は、「ＢＬＥ」と表記する場合もある。
【００６９】
なお、本明細書において説明する「ブルートゥース（ＢＴ：Ｂｌｕｅｔｏｏｔｈ（登録商標））通信」には、従来型のブルートゥース（ＢＴ：Ｂｌｕｅｔｏｏｔｈ（登録商標））通信のみならず、ＢＴＬＥ（Ｂｌｕｔｏｏｔｈ（登録商標）  Ｌｏｗ  Ｅｎｅｒｇｙ）規格に従ったブルートゥース（ＢＴ：Ｂｌｕｅｔｏｏｔｈ（登録商標））通信も含むものである。
【００７０】
図８は、Ｗｉ−Ｆｉ、ＢＴ（従来型）、ＢＴＬＥの各通信における消費電力と、伝送速度を示した図である。
この図８に示すように、Ｗｉ−Ｆｉ通信は、伝送速度が速いが、消費電力が大きい。
一方、ＢＴ、ＢＴＬＥは、伝送速度が遅いが、消費電力が小さいという特徴がある。
【００７１】
本開示のシステムでは、ビデオカメラ１０と、リモコン２０との間で、ワイファイ（Ｗｉ−Ｆｉ）通信と、ブルートゥース（Ｂｌｕｅｔｏｏｔｈ（登録商標））通信を併用して、かつ、これらの通信を制御することで省電力を実現している。
【００７２】
［３．ビデオカメラとリモコン間の通信処理とモード遷移について］
次に、図９以下を参照して、本開示のビデオカメラ１０とリモコン２０との間で実行される通信処理とモード遷移について説明する。
【００７３】
図９は、リモコン２０において設定される複数の状態、およびモードと、各状態またはモードにおけるビデオカメラ１０との通信態様について説明する図である。
図９に示すように、リモコン２０は、
（Ｘ）電源オフ状態
（Ａ）録画準備状態
（Ｂ）録画実行状態
これらの３状態を遷移する。
【００７４】
さらに、リモコン２０は、
（Ａ）録画準備状態において、
（ａ１）録画準備画像表示モード、
に設定される。
また、（Ｂ）録画実行状態では、
（ｂ１）録画画像表示ノーマルモード、
（ｂ２）録画画像非表示ノーマルモード
（ｂ３）録画画像非表示スタミナモード、
（ｂ４）録画画像非表示ブルートゥース（ＢＴ）単独通信モード、
これら４つのモードのいずれかに設定される。
【００７５】
リモコン２０は、ユーザ操作、あるいは、予め設定されたモード遷移条件が発生した場合、異なるモード間の遷移を行う。
【００７６】
図９に示すように、各モードに対応して、リモコン２０と、ビデオカメラ１０との間で実行される通信態様が規定されており、モード遷移の発生に応じて、通信態様が変更される場合がある。
リモコン２０が、以下の２つのモード、すなわち、
（ａ１）録画準備画像表示モード、
（ｂ１）録画画像表示ノーマルモード、
これら２つのモードのいずれかに設定されている場合、
ビデオカメラ１０から画像と、ステータス情報がＷｉ−Ｆｉ通信によって、リモコン２０に送信され、
リモコン２０の操作情報が、Ｗｉ−Ｆｉ通信と、ＢＴ通信を併用してビデオカメラ１０に送信される。
【００７７】
なお、ビデオカメラ１０からＷｉ−Ｆｉ通信によって送信される画像データは、
「（ａ１）録画準備画像表示モード」においては、録画されていない撮影画像である。
「（ｂ１）録画画像表示ノーマルモード」においては、録画されている撮影画像（録画画像）である。
【００７８】
ビデオカメラ１０からＷｉ−Ｆｉ通信によって送信されるステータス情報には、例えば、録画が実行されているか否かの情報、撮影画像の画質（ＨＤ、ＳＤ等）情報、録画時間情報、ビデオカメラ搭載のバッテリ残量情報等が含まれる。
【００７９】
また、リモコン２０の操作情報は、Ｗｉ−Ｆｉ通信と、ＢＴ通信を併用してビデオカメラ１０に送信されるが、各操作情報は、操作種類に応じて、予めＷｉ−Ｆｉ通信、ＢＴ通信、どちらの通信路を利用するかが規定されている。
例えばビデオカメラ１０の電源ＯＮ／ＯＦＦ情報等はＢＴ通信路を利用して送信される。
録画開始、停止処理等の操作情報は、Ｗｉ−Ｆｉ通信路を利用してビデオカメラ１０に送信される。
【００８０】
その他の各操作情報についても、操作種類に応じて規定されたいずれかの通信路を介してビデオカメラ１０に送信される。
なお、Ｗｉ−Ｆｉ通信、ＢＴ通信のいずれか一方のみの通信路が切断された場合には、接続されている他方の通信路を介した操作情報送信が行われる。
【００８１】
次に、リモコン２０が、図９の中段に示す以下の２つのモードに設定されている場合の通信構成について説明する。
（ｂ２）録画画像非表示ノーマルモード
（ｂ３）録画画像非表示スタミナモード、
【００８２】
リモコン２０が、これらの２つのモードのいずれかのモードに設定されている場合、図９に示すように、
ビデオカメラ１０からステータス情報がＷｉ−Ｆｉ通信によって、リモコン２０に送信され、
リモコン２０の操作情報が、Ｗｉ−Ｆｉ通信と、ＢＴ通信を併用してビデオカメラ１０に送信される。
【００８３】
この「（ｂ２）録画画像非表示ノーマルモード」、および「（ｂ３）録画画像非表示スタミナモード」においては、ビデオカメラ１０からリモコン２０に対する画像の送信が行われない。
【００８４】
これら２つのモードでは、ビデオカメラ１０からリモコン２０に対する画像の送信を停止し、リモコン２０における画像表示も停止する。
画像の送信、表示処理の停止により、バッテリ消費を低減させて省電力化を図る構成としている。
【００８５】
なお、ビデオカメラ１０からＷｉ−Ｆｉ通信によって送信されるステータス情報には、例えば、録画が実行されているか否かの情報、録画画像の画質（ＨＤ、ＳＤ等）情報、録画時間情報、ビデオカメラ搭載のバッテリ残量情報等が含まれる。
【００８６】
また、リモコン２０の操作情報は、Ｗｉ−Ｆｉ通信と、ＢＴ通信を併用してビデオカメラ１０に送信されるが、各操作情報は、操作種類に応じて、予めＷｉ−Ｆｉ通信、ＢＴ通信、どちらの通信路を利用するかが規定されている。
例えばビデオカメラ１０の電源ＯＮ／ＯＦＦ情報等はＢＴ通信路を利用して送信される。
録画開始、停止処理等の操作情報は、Ｗｉ−Ｆｉ通信路を利用してビデオカメラ１０に送信される。
【００８７】
その他の各操作情報についても、操作種類に応じて規定されたいずれかの通信路を介してビデオカメラ１０に送信される。
なお、Ｗｉ−Ｆｉ通信、ＢＴ通信のいずれか一方のみの通信路が切断された場合には、接続されている他方の通信路を介した操作情報送信が行われる。
【００８８】
次に、リモコン２０が、図９の最下段に示す以下のモードに設定されている場合の通信構成について説明する。
（ｂ４）録画画像非表示ブルートゥース（ＢＴ）単独通信モード、
【００８９】
リモコン２０が、このモードに設定されている場合、図９に示すように、
ビデオカメラ１０からステータス情報がＷｉ−Ｆｉ通信ではなく、ＢＴ通信によって、リモコン２０に送信され、
リモコン２０の操作情報も、ＢＴ通信のみを併用してビデオカメラ１０に送信される。
【００９０】
すなわち、この「（ｂ４）録画画像非表示ブルートゥース（ＢＴ）単独通信モード」においては、
ビデオカメラ１０からリモコン２０に対する画像の送信が行われないのみならず、
ビデオカメラ１０とリモコン２０間のＷｉ−Ｆｉ接続が切断され、Ｗｉ−Ｆｉ通信路を介したデータ転送は全て停止される。
【００９１】
ビデオカメラ１０からリモコン２０に対するステータス情報の送信、および、リモコン２０からビデオカメラ１０に対する操作情報の送信等、ビデオカメラ１０とリモコン２０間の全ての通信がＢＴ通信路のみを利用して実行される。
【００９２】
先に、図８を参照して説明したように、Ｗｉ−Ｆｉ通信に比較してＢＴ通信は電力消費が少ない。
従って、この「（ｂ４）録画画像非表示ブルートゥース（ＢＴ）単独通信モード」において、ＢＴ通信のみを利用することで、さらなる省電力が実現される。
なお、本実施例において、ＢＴ通信は、図８を参照して説明した従来型のＢＴ通信、または、ＢＴＬＥ（またはＢＬＥ）通信のいずれかの通信である。
【００９３】
なお、ビデオカメラ１０からＢＴ通信によって送信されるステータス情報には、例えば、録画が実行されているか否かの情報、録画画像の画質（ＨＤ、ＳＤ等）情報、録画時間情報、ビデオカメラ搭載のバッテリ残量情報等が含まれる。
また、リモコン２０の操作情報は、すべてＢＴ通信路を利用して送信される。
例えばビデオカメラ１０の電源ＯＮ／ＯＦＦ情報、録画開始、停止処理等の操作情報、その他の操作情報のすべてが、ＢＴ通信路を利用してビデオカメラ１０に送信される。
【００９４】
［４．リモコンにおける状態遷移、およびモード遷移について］
次に、図１０を参照して、リモコン２０における状態遷移、およびモード遷移について説明する。
先に図９を参照して説明したように、リモコン２０において設定される状態には以下の状態がある。
（Ｘ）電源オフ状態
（Ａ）録画準備状態
（Ｂ）録画実行状態
これらの３状態がある。
【００９５】
さらに、リモコン２０は、
（Ａ）録画準備状態において、
（ａ１）録画準備画像表示モード、
に設定される。
また、（Ｂ）録画実行状態では、
（ｂ１）録画画像表示ノーマルモード、
（ｂ２）録画画像非表示ノーマルモード
（ｂ３）録画画像非表示スタミナモード、
（ｂ４）録画画像非表示ブルートゥース（ＢＴ）単独通信モード、
これら４つのモードのいずれかに設定される。
【００９６】
リモコン２０は、これらの複数の状態、またはモード間を、ユーザ操作、あるいは所定の遷移条件の発生に応じて遷移する。
これらの遷移処理は、リモコン２０の制御部の制御に基づいて行われる。
リモコン２０の制御部は、例えばリモコン２０の操作部に対する操作情報の入力、または操作情報入力が無い無操作状態の継続期間に応じて装置モードを変更する制御を行う。さらに、制御部は、記装置モードの変更に応じて、通信部を介した通信形態を変更する処理を実行する。
【００９７】
図１０は、リモコン２０における状態遷移、モード遷移を説明する図である。
図１０には、状態遷移、モード遷移の発生ステップをステップＳ１０１〜Ｓ１５１として示している。
以下、各ステップの処理について、順次、説明する。
【００９８】
（ステップＳ１０１）
ステップＳ１０１は、
（Ｘ）リモコン電源オフ状態と、
（Ａ）録画準備状態の（ａ１）録画準備画像表示モード、
これらの状態遷移のステップである。
この状態遷移は、ユーザによるリモコン２０の電源スイッチのオンオフ操作によって行われる。
【００９９】
（Ｘ）リモコン電源オフ状態において、ユーザによるリモコン２０の電源スイッチのオン操作が実行されると、
（Ａ）録画準備状態の（ａ１）録画準備画像表示モード、
に移行する。
この状態遷移処理に際して、以下の処理が行われる。
（１）リモコン２０と、ビデオカメラ１０の間のＷｉ−Ｆｉ接続、およびＢＴ接続の確立処理、
（２）ビデオカメラ１０の撮影画像のリモコン２０に対する送信処理の開始、
（３）リモコン２０の表示部２１に対する撮影画像の表示処理の開始、
なお、この時点の送信表示画像は、録画処理は行われていない画像である。
【０１００】
（ステップＳ１０２）
ステップＳ１０２は、
（Ａ）録画準備状態の（ａ１）録画準備画像表示モードから、
（Ｂ）録画実行状態の（ｂ１）録画画像表示ノーマルモードへの、
モード遷移ステップである。
このモード遷移は、ユーザによるリモコン２０に対する記録開始操作によって実行される。
【０１０１】
（Ａ）録画準備状態の（ａ１）録画準備画像表示モードにおいて、ユーザがリモコン２０に対する録画開始操作を行うと、
（Ｂ）録画実行状態の（ｂ１）録画画像表示ノーマルモード、
に移行する。
【０１０２】
この状態遷移処理に際して、以下の処理が行われる。
（１）リモコン２０から、ビデオカメラ１０に対する録画開始要求の送信、
（２）ビデオカメラ１０による録画処理の開始、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１０３】
（ステップＳ１０３）
ステップＳ１０３は、
（Ｂ）録画実行状態の（ｂ１）録画画像表示ノーマルモードから、
（Ｂ）録画実行状態の（ｂ２）録画画像非表示ノーマルモードへの、
モード遷移ステップである。
【０１０４】
このモード遷移は、（ｂ１）録画画像表示ノーマルモードにおいて、リモコン２０に対するユーザ操作が規定時間（例えば１０秒間）実行されなかった場合に発生する。
なお、このモード遷移は、リモコン２０と、ビデオカメラ１０間のＢＴ接続がなされていない場合のモード遷移である。
例えば、ビデオカメラ１０がＢＴ通信機能を持たない旧機種である場合、あるいは、リモコン２０とビデオカメラ１０間のＢＴ接続が途切れている場合に、このモード遷移が発生する。
【０１０５】
この状態遷移処理に際して、以下の処理が行われる。
（１）リモコン２０から、ビデオカメラ１０に対する録画画像送信停止要求の送信、
（２）ビデオカメラ１０による撮影画像（＝録画画像）のリモコン２０に対する送信処理の停止、
（３）リモコン２０の表示部２１に対する撮影画像（＝録画画像）の表示処理の停止、
なお、このモード遷移が発生しても、ビデオカメラ１０は、録画処理を継続する。
【０１０６】
この処理により、ビデオカメラ１０からリモコン２０に対する撮影画像の送信が停止され、リモコン２０の表示部２１に対する撮影画像の表示も停止される。
この処理により、ビデオカメラ１０、リモコン２０のバッテリ消費は低減し、省電力化が実現される。
【０１０７】
（ステップＳ１０４）
ステップＳ１０４は、
（Ｂ）録画実行状態の（ｂ１）録画画像表示ノーマルモードから、
（Ｂ）録画実行状態の（ｂ３）録画画像非表示スタミナモードへの、
モード遷移ステップである。
【０１０８】
このモード遷移は、（ｂ１）録画画像表示ノーマルモードにおいて、リモコン２０に対するユーザ操作が規定時間（例えば１０秒間）実行されなかった場合に発生する。
なお、このモード遷移は、リモコン２０と、ビデオカメラ１０間のＢＴ接続がなされている場合のモード遷移である。
【０１０９】
すなわち、リモコン２０と、ビデオカメラ１０間のＢＴ接続がなされていない場合は、ステップＳ１０３のモード遷移が実行され、リモコン２０と、ビデオカメラ１０間のＢＴ接続がなされている場合は、ステップＳ１０４のモード遷移が実行される。
【０１１０】
なお、ステップＳ１０３の処理の実行後に、リモコン２０と、ビデオカメラ１０間のＢＴ接続が回復し、その後、リモコン２０に対するユーザ操作が規定時間（例えば１０秒間）実行されなかった場合には、
（Ｂ）録画実行状態の（ｂ２）録画画像非表示ノーマルモードから、
（Ｂ）録画実行状態の（ｂ３）録画画像非表示スタミナモードへの
モード遷移が実行される。
【０１１１】
（Ｂ）録画実行状態の（ｂ１）録画画像表示ノーマルモードから、
（Ｂ）録画実行状態の（ｂ３）録画画像非表示スタミナモードへの、
モード遷移処理に際して実行される処理は、ステップＳ１０３のモード遷移の場合と同様であり、以下の処理が行われる。
（１）リモコン２０から、ビデオカメラ１０に対する録画画像送信停止要求の送信、
（２）ビデオカメラ１０による撮影画像（＝録画画像）のリモコン２０に対する送信処理の停止、
（３）リモコン２０の表示部２１に対する撮影画像（＝録画画像）の表示処理の停止、
なお、このモード遷移が発生しても、ビデオカメラ１０は、録画処理を継続する。
【０１１２】
この処理により、ビデオカメラ１０からリモコン２０に対する撮影画像の送信が停止され、リモコン２０の表示部２１に対する撮影画像の表示も停止される。
この処理により、ビデオカメラ１０、リモコン２０のバッテリ消費は低減し、省電力化が実現される。
【０１１３】
（ステップＳ１０５）
ステップＳ１０５は、
（Ｂ）録画実行状態の（ｂ３）録画画像非表示スタミナモードから、
（Ｂ）録画実行状態の（ｂ４）録画画像非表示ブルートゥース（ＢＴ）単独通信モードへの、
モード遷移ステップである。
【０１１４】
このモード遷移は、（ｂ３）録画画像非表示スタミナモードにおいて、リモコン２０に対するユーザ操作が規定時間（例えば６０秒間）実行されなかった場合に発生する。
なお、このモード遷移は、リモコン２０と、ビデオカメラ１０間のＢＴ接続がなされている場合のモード遷移である。
【０１１５】
この状態遷移処理に際して、以下の処理が行われる。
（１）リモコン２０とビデオカメラ１０とのＷｉ−Ｆｉ接続の停止、
（２）ビデオカメラ１０からのステータス情報の送信経路をＷｉ−ＦｉからＢＴに切り替える処理、
（３）リモコン２０からビデオカメラ１０に対する操作情報をＷｉ−Ｆｉを使用せず、全てＢＴ通信に切り替える処理、
なお、このモード遷移が発生しても、ビデオカメラ１０は、録画処理を継続する。
【０１１６】
この処理により、ビデオカメラ１０とリモコン２０との間のＷｉ−Ｆｉ接続は停止される。
この処理により、ビデオカメラ１０、リモコン２０のバッテリ消費は、さらに低減し、さらなる省電力化が実現される。
【０１１７】
（ステップＳ１２１）
ステップＳ１２１は、
（Ｂ）録画実行状態の（ｂ２）録画画像非表示ノーマルモード、または、
（Ｂ）録画実行状態の（ｂ３）録画画像非表示スタミナモード、または、
（Ｂ）録画実行状態の（ｂ４）録画画像非表示ブルートゥース（ＢＴ）単独通信モード、
これら、いずれかのモードから、
（Ｂ）録画実行状態の（ｂ１）録画画像表示ノーマルモードへの、
モード遷移ステップである。
【０１１８】
このモード遷移は、上記の（ｂ２）〜（ｂ４）のいずれかのモードにおいて、ユーザがリモコン２０に対して、画像表示指示を入力した場合に発生する。
なお、（ｂ２）〜（ｂ４）のいずれかのモードにおいて、ユーザによるリモコン２０に対して行われる入力操作のほとんど、例えば何らかのスイッチ操作、あるいはタッチパネルとして機能する表示部に対するタッチ操作等は、すべて画像表示指示入力として解釈され、このステップＳ１２１のモード遷移が発生する。
【０１１９】
このモード遷移により、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（＝録画画像）の送信要求、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１２０】
（ステップＳ１２２）
ステップＳ１２２は、
（Ｂ）録画実行状態の（ｂ１）録画画像表示ノーマルモード、または、
（Ｂ）録画実行状態の（ｂ２）録画画像非表示ノーマルモード、または、
（Ｂ）録画実行状態の（ｂ３）録画画像非表示スタミナモード、または、
（Ｂ）録画実行状態の（ｂ４）録画画像非表示ブルートゥース（ＢＴ）単独通信モード、
これら、いずれかのモードから、
（Ａ）録画準備状態の（ａ１）録画準備画像表示モードへの、
モード遷移ステップである。
【０１２１】
このモード遷移は、上記の（ｂ１）〜（ｂ４）のいずれかのモードにおいて、ユーザがリモコン２０に対して、記録停止の入力操作を実行した場合に発生する。
例えば録画停止ボタンの操作である。
【０１２２】
このモード遷移により、以下の処理が実行される。
（１）リモコン２０から、ビデオカメラ１０に対する録画処理の停止要求送信、
（２）ビデオカメラ１０による録画処理の停止処理、
（３）ビデオカメラ１０による撮影画像（≠録画画像）のリモコン２０に対する送信処理、
（４）リモコン２０の表示部２１に対する撮影画像（≠録画画像）の表示処理、
なお、このモード遷移後の送信表示画像は、録画処理が行われていない画像である。
【０１２３】
（ステップＳ１３１〜Ｓ１３３、およびＳ１４１，Ｓ１４２の接続断）
これらのモード遷移は、
（Ａ）録画準備状態の（ａ１）録画準備画像表示モード、および、
（Ｂ）録画実行状態の、
（ｂ１）録画画像表示ノーマルモード、
（ｂ２）録画画像非表示ノーマルモード
（ｂ３）録画画像非表示スタミナモード、
（ｂ４）録画画像非表示ブルートゥース（ＢＴ）単独通信モード、
これら各モードのいずれかにおいて、リモコン２０とビデオカメラ１０間のＷｉ−Ｆｉ接続、またはＢＴ接続が停止した場合に発生する。
このモード遷移により、図１０に示すように、
（Ｙ）通信路非接続状態、
に遷移する。
【０１２４】
このモード遷移が発生すると、ビデオカメラ１０と、リモコン２０間において実行されていた通信が途絶えることになる。
ただし、ビデオカメラ１０における録画処理状態は変更されない。すなわち、録画実行中の場合は、録画処理が継続して実行される。
【０１２５】
このモード遷移が発生すると、リモコン２０は、ビデオカメラ１０との通信路の回復処理を実行する。
すなわち、Ｗｉ−Ｆｉ接続、およびＢＴ接続の回復処理を実行する。
この通信経路回復処理に成功すると、
「ステップＳ１４１の接続」、または、
「ステップＳ１４２の接続」、
これらのいずれかのモード遷移が行われる。
【０１２６】
（ステップＳ１４１の接続）
ステップＳ１４１の接続のモード遷移は、
（Ｙ）通信路非接続状態から、
（ｂ１）録画画像表示ノーマルモードへの、
モード遷移である。
【０１２７】
このモード遷移は、
（Ｂ）録画実行状態の、
（ｂ１）録画画像表示ノーマルモード、
（ｂ２）録画画像非表示ノーマルモード
（ｂ３）録画画像非表示スタミナモード、
（ｂ４）録画画像非表示ブルートゥース（ＢＴ）単独通信モード、
これらのいずれかのモードから、
（Ｙ）通信路非接続状態、
に遷移し、その後、ビデオカメラ１０と、リモコン２０間の通信路（少なくともＷｉ−Ｆｉ）が回復した場合に発生するモード遷移である。
【０１２８】
このモード遷移において、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（＝録画画像）の送信要求、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１２９】
（ステップＳ１４２の接続）
ステップＳ１４２の接続のモード遷移は、
（Ｙ）通信路非接続状態から、
（ａ１）録画準備画像表示モードへの、
モード遷移である。
【０１３０】
このモード遷移は、
（Ａ）録画準備状態の、
（ａ１）録画準備画像表示モード、
このモードから、
（Ｙ）通信路非接続状態、
に遷移し、その後、ビデオカメラ１０と、リモコン２０間の通信路（少なくともＷｉ−Ｆｉ）が回復した場合に発生するモード遷移である。
【０１３１】
このモード遷移において、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（≠録画画像）の送信要求、
（３）ビデオカメラ１０による撮影画像（≠録画画像）のリモコン２０に対する送信処理、
（４）リモコン２０の表示部２１に対する撮影画像（≠録画画像）の表示処理、
なお、この時点の送信表示画像は、録画処理が行われていない画像である。
【０１３２】
（ステップＳ１５１）
ステップＳ１５１のモード遷移は、
（Ｙ）通信路非接続状態から、
（Ｘ）電源オフ状態への、
状態遷移である。
【０１３３】
この状態遷移は、
（Ｙ）通信路非接続状態において、ユーザがリモコン２０の電源スイッチをオフに設定した場合に発生する。
このユーザ操作により、リモコン２０はオフ状態となる。
この状態遷移が、発生した場合、以下の処理が実行される。
（１）ビデオカメラ１０と、リモコン２０間の通信路回復処理の停止処理、
なお、この状態遷移が実行されても、ビデオカメラ１０によって実行中の処理は継続するが、録画処理実行中に、予め規定した時間、（例えば１分）、ビデオカメラ１０と、リモコン２０間の通信路が回復しない場合、録画処理は自動停止される。
【０１３４】
［５．ビデオカメラにおける状態遷移と、モード遷移について］
次に、図１１を参照して、ビデオカメラ１０における状態遷移と、モード遷移について説明する。
【０１３５】
ビデオカメラ１０は、リモコン２０において設定される各状態、各モードに対応して、複数の状態、モードに設定される。
これらの状態、またはモード設定、および状態、モード遷移処理は、ビデオカメラ１０の制御部の制御に基づいて行われる。
ビデオカメラ１０の制御部は、例えばリモコン２０の操作部に対する操作情報の入力、または操作情報入力が無い無操作状態の継続期間に応じて装置モードを変更する制御を行う。さらに、制御部は、装置モードの変更に応じて、通信部を介した通信形態を変更する処理を実行する。
【０１３６】
図１１に示すように、ビデオカメラ１０は、以下の各状態、モードに設定される。
（Ｘ）電源オフ状態
（Ｐ）録画準備画像転送モード
（Ｑ）録画画像転送モード
（Ｒ）録画画像非転送モード
（Ｓ）録画画像非転送ＢＴ単独通信モード
【０１３７】
なお、ビデオカメラ１０における、
（Ｐ）録画準備画像転送モード
は、リモコン２０が、
（ａ１）録画準備画像表示モード、
のモード設定中に設定されるモードである。
【０１３８】
また、ビデオカメラ１０における、
（Ｑ）録画画像転送モード
は、リモコン２０が、
（ｂ１）録画画像表示ノーマルモード、
のモード設定中に設定されるモードである。
【０１３９】
また、ビデオカメラ１０における、
（Ｒ）録画画像非転送モード
は、リモコン２０が、
（ｂ２）録画画像非表示ノーマルモード、または、
（ｂ３）録画画像非表示スタミナモード、
のモード設定中に設定されるモードである。
【０１４０】
また、ビデオカメラ１０における、
（Ｓ）録画画像非転送ＢＴ単独通信モード
は、リモコン２０が、
（ｂ４）録画画像非表示ブルートゥース（ＢＴ）単独通信モード、
のモード設定中に設定されるモードである。
【０１４１】
ビデオカメラ１０は、リモコン２０の状態、モード設定に応じて、
（Ｘ）電源オフ状態
（Ｐ）録画準備画像転送モード
（Ｑ）録画画像転送モード
（Ｒ）録画画像非転送モード
（Ｓ）録画画像非転送ＢＴ単独通信モード
これらの複数の状態、またはモード間を遷移する。遷移は、リモコン２０に対するユーザ操作、あるいは所定の遷移条件の発生に応じて実行される。
【０１４２】
図１１は、この状態遷移、モード遷移を説明する図である。
図１１には、状態遷移、モード遷移の発生ステップをステップＳ２０１〜Ｓ２４２として示している。
以下、各ステップの処理について、順次、説明する。
【０１４３】
（ステップＳ２０１）
ステップＳ２０１は、
（Ｘ）電源オフ状態と、
（Ｐ）録画準備画像転送モード、
これらの状態遷移のステップである。
この状態遷移は、ユーザによるリモコン２０のビデオカメラ電源スイッチのオンオフ操作によって行われる。
【０１４４】
（Ｘ）電源オフ状態において、ユーザによるリモコン２０のビデオカメラ電源スイッチのオン操作が実行されると、リモコン２０から、例えばＢＴ通信路を介してビデオカメラ１０の起動信号がビデオカメラ１０に送信される。
ビデオカメラ１０は、この起動信号に基づいて、
（Ｐ）録画準備画像転送モード、
に遷移する。
なお、ビデオカメラ１０は、電源オフ状態であっても、リモコンからの信号を受信する待機モードに設定されている。
【０１４５】
このステップＳ２０１の状態遷移処理に際して、以下の処理が行われる。
（１）リモコン２０と、ビデオカメラ１０の間のＷｉ−Ｆｉ接続、およびＢＴ接続の確立処理、
（２）ビデオカメラ１０の撮影画像のリモコン２０に対する送信処理の開始、
（３）リモコン２０の表示部２１に対する撮影画像の表示処理の開始、
なお、この時点の送信表示画像は、録画処理は行われていない画像である。
【０１４６】
（ステップＳ２０２）
ステップＳ２０２は、
（Ｐ）録画準備画像転送モードから、
（Ｑ）録画画像転送モードへの、
モード遷移ステップである。
【０１４７】
このモード遷移は、リモコン２０におけるステップＳ１０２のモード遷移、すなわち、
（Ａ）録画準備状態の（ａ１）録画準備画像表示モードから、
（Ｂ）録画実行状態の（ｂ１）録画画像表示ノーマルモードへの、
モード遷移に対応して、ビデオカメラ１０において実行されるモード遷移である。
このモード遷移は、ユーザによるリモコン２０に対する記録開始操作によって実行される。
【０１４８】
ビデオカメラ１０が、（Ｐ）録画準備画像転送モードであり、リモコン２０が（Ａ）録画準備状態の（ａ１）録画準備画像表示モードである場合において、ユーザがリモコン２０に対する録画開始操作を行うと、
ビデオカメラ１０は、（Ｑ）録画画像転送モードに移行する。
また、リモコン２０は、（Ｂ）録画実行状態の（ｂ１）録画画像表示ノーマルモード、
に移行する。
【０１４９】
この状態遷移処理に際して、以下の処理が行われる。
（１）リモコン２０から、ビデオカメラ１０に対する録画開始要求の送信、
（２）ビデオカメラ１０による録画処理の開始、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１５０】
（ステップＳ２０３）
ステップＳ２０３は、
（Ｑ）録画画像転送モードから、
（Ｒ）録画画像非転送モードへの、
モード遷移ステップである。
【０１５１】
このモード遷移は、リモコン２０におけるステップＳ１０３、またはステップＳ１０４のモード遷移、すなわち、
（Ｂ）録画実行状態の（ｂ１）録画画像表示ノーマルモードから、
（Ｂ）録画実行状態の（ｂ２）録画画像非表示ノーマルモードへの、
モード遷移、または、
（Ｂ）録画実行状態の（ｂ１）録画画像表示ノーマルモードから、
（Ｂ）録画実行状態の（ｂ３）録画画像非表示スタミナモードへの、
モード遷移、
これら、いずれかのモード遷移に対応して、ビデオカメラ１０において実行されるモード遷移である。
【０１５２】
このモード遷移は、ビデオカメラ１０が、（Ｑ）録画画像転送モードであり、リモコン２０が（ｂ１）録画画像表示ノーマルモードである場合において、リモコン２０に対するユーザ操作が規定時間（例えば１０秒間）実行されなかった場合に発生する。
【０１５３】
この状態遷移処理に際して、以下の処理が行われる。
（１）リモコン２０から、ビデオカメラ１０に対する録画画像送信停止要求の送信、
（２）ビデオカメラ１０による撮影画像（＝録画画像）のリモコン２０に対する送信処理の停止、
（３）リモコン２０の表示部２１に対する撮影画像（＝録画画像）の表示処理の停止、
なお、このモード遷移が発生しても、ビデオカメラ１０は、録画処理を継続する。
【０１５４】
この処理により、ビデオカメラ１０からリモコン２０に対する撮影画像の送信が停止され、リモコン２０の表示部２１に対する撮影画像の表示も停止される。
この処理により、ビデオカメラ１０、リモコン２０のバッテリ消費は低減し、省電力化が実現される。
【０１５５】
（ステップＳ２０４）
ステップＳ２０４は、
（Ｒ）録画画像非転送モードから、
（Ｓ）録画画像非転送ＢＴ単独通信モードへの、
モード遷移ステップである。
【０１５６】
このモード遷移は、リモコン２０のステップＳ１０５のモード遷移、すなわち、
（Ｂ）録画実行状態の（ｂ３）録画画像非表示スタミナモードから、
（Ｂ）録画実行状態の（ｂ４）録画画像非表示ブルートゥース（ＢＴ）単独通信モードへの、
モード遷移に応じて、ビデオカメラ１０において実行されるモード遷移である。
【０１５７】
このモード遷移は、ビデオカメラ１０が、（Ｒ）録画画像非転送モードであり、リモコン２０が、（ｂ３）録画画像非表示スタミナモードである場合において、リモコン２０に対するユーザ操作が規定時間（例えば６０秒間）実行されなかった場合に発生する。
【０１５８】
この状態遷移処理に際して、以下の処理が行われる。
（１）リモコン２０とビデオカメラ１０とのＷｉ−Ｆｉ接続の停止、
（２）ビデオカメラ１０からのステータス情報の送信経路をＷｉ−ＦｉからＢＴに切り替える処理、
（３）リモコン２０からビデオカメラ１０に対する操作情報をＷｉ−Ｆｉを使用せず、全てＢＴ通信に切り替える処理、
なお、このモード遷移が発生しても、ビデオカメラ１０は、録画処理を継続する。
【０１５９】
この処理により、ビデオカメラ１０とリモコン２０との間のＷｉ−Ｆｉ接続は停止される。
この処理により、ビデオカメラ１０、リモコン２０のバッテリ消費は、さらに低減し、さらなる省電力化が実現される。
【０１６０】
（ステップＳ２１１）
ステップＳ２１１は、
（Ｒ）録画画像非転送モード
（Ｓ）録画画像非転送ＢＴ単独通信モード
これら、いずれかのモードから、
（Ｑ）録画画像転送モードへの、
モード遷移ステップである。
【０１６１】
このモード遷移は、リモコン２０におけるステップＳ１２１のモード遷移に対応して実行される。すなわち、
（Ｂ）録画実行状態の（ｂ２）録画画像非表示ノーマルモード、または、
（Ｂ）録画実行状態の（ｂ３）録画画像非表示スタミナモード、または、
（Ｂ）録画実行状態の（ｂ４）録画画像非表示ブルートゥース（ＢＴ）単独通信モード、
これら、いずれかのモードから、
（Ｂ）録画実行状態の（ｂ１）録画画像表示ノーマルモードへの、
モード遷移に応じて実行される。
【０１６２】
リモコン２０側において、上記のモード遷移が発生すると、ビデオカメラ１０も、
（Ｒ）録画画像非転送モード
（Ｓ）録画画像非転送ＢＴ単独通信モード
これら、いずれかのモードから、
（Ｑ）録画画像転送モードへの、
モード遷移を実行する。
【０１６３】
このモード遷移により、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（＝録画画像）の送信要求、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１６４】
（ステップＳ２２１）
ステップＳ２２１は、
（Ｑ）録画画像転送モード
（Ｒ）録画画像非転送モード
（Ｓ）録画画像非転送ＢＴ単独通信モード
これら、いずれかのモードから、
（Ｐ）録画準備画像転送モードへの、
モード遷移ステップである。
【０１６５】
このモード遷移は、リモコン２０側のステップＳ１２２のモード遷移に応じて実行される。すなわち、
（Ｂ）録画実行状態の（ｂ１）録画画像表示ノーマルモード、または、
（Ｂ）録画実行状態の（ｂ２）録画画像非表示ノーマルモード、または、
（Ｂ）録画実行状態の（ｂ３）録画画像非表示スタミナモード、または、
（Ｂ）録画実行状態の（ｂ４）録画画像非表示ブルートゥース（ＢＴ）単独通信モード、
これら、いずれかのモードから、
（Ａ）録画準備状態の（ａ１）録画準備画像表示モードへの、
モード遷移に応じて、ビデオカメラ１０は、
（Ｑ）録画画像転送モード
（Ｒ）録画画像非転送モード
（Ｓ）録画画像非転送ＢＴ単独通信モード
これら、いずれかのモードから、
（Ｐ）録画準備画像転送モードへの、
モード遷移を実行する。
【０１６６】
このモード遷移は、ユーザがリモコン２０に対して、記録停止の入力操作を実行した場合に発生する。
例えば録画停止ボタンの操作である。
【０１６７】
このモード遷移により、以下の処理が実行される。
（１）リモコン２０から、ビデオカメラ１０に対する録画処理の停止要求送信、
（２）ビデオカメラ１０による録画処理の停止処理、
（３）ビデオカメラ１０による撮影画像（≠録画画像）のリモコン２０に対する送信処理、
（４）リモコン２０の表示部２１に対する撮影画像（≠録画画像）の表示処理、
なお、このモード遷移後の送信表示画像は、録画処理が行われていない画像である。
【０１６８】
（ステップＳ２３１〜Ｓ２３２、およびＳ２４１，Ｓ２４２の接続断）
これらのモード遷移は、
（Ｐ）録画準備画像転送モード
（Ｑ）録画画像転送モード
（Ｒ）録画画像非転送モード
（Ｓ）録画画像非転送ＢＴ単独通信モード
これら各モードのいずれかにおいて、リモコン２０とビデオカメラ１０間のＷｉ−Ｆｉ接続、またはＢＴ接続が停止した場合に発生する。
このモード遷移により、図１１に示すように、
（Ｙ）通信路非接続状態、
に遷移する。
【０１６９】
このモード遷移は、リモコン２０におけるステップＳ１３１〜Ｓ１３３、またはステップＳ１４１，Ｓ１４２の接続断時のモード遷移に対応して発生する。
（Ａ）録画準備状態の（ａ１）録画準備画像表示モード、および、
（Ｂ）録画実行状態の、
（ｂ１）録画画像表示ノーマルモード、
（ｂ２）録画画像非表示ノーマルモード
（ｂ３）録画画像非表示スタミナモード、
（ｂ４）録画画像非表示ブルートゥース（ＢＴ）単独通信モード、
これら各モードのいずれかにおいて、リモコン２０とビデオカメラ１０間のＷｉ−Ｆｉ接続、またはＢＴ接続が停止した場合に発生する。
【０１７０】
このモード遷移が発生すると、ビデオカメラ１０と、リモコン２０間において実行されていた通信が途絶えることになる。
ただし、ビデオカメラ１０における録画処理状態は変更されない。すなわち、録画実行中の場合は、録画処理が継続して実行される。
【０１７１】
このモード遷移が発生すると、リモコン２０は、ビデオカメラ１０との通信路の回復処理を実行する。
すなわち、Ｗｉ−Ｆｉ接続、およびＢＴ接続の回復処理を実行する。
この通信経路回復処理に成功すると、
「ステップＳ２４１の接続」、または、
「ステップＳ２４２の接続」、
これらのいずれかのモード遷移が行われる。
【０１７２】
（ステップＳ２４１の接続）
ステップＳ２４１の接続のモード遷移は、
（Ｙ）通信路非接続状態から、
（Ｑ）録画画像転送モードへの、
モード遷移である。
【０１７３】
このモード遷移は、リモコン２０のステップＳ１４１のモード遷移、すなわち、
（Ｙ）通信路非接続状態から、
（ｂ１）録画画像表示ノーマルモードへの、
モード遷移に対応して実行される。
【０１７４】
このモード遷移は、
（Ｑ）録画画像転送モードから、
（Ｙ）通信路非接続状態、
に遷移し、その後、ビデオカメラ１０と、リモコン２０間の通信路（少なくともＷｉ−Ｆｉ）が回復した場合に発生するモード遷移である。
【０１７５】
このモード遷移において、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（＝録画画像）の送信要求、
（３）ビデオカメラ１０による撮影画像（＝録画画像）のリモコン２０に対する送信処理、
（４）リモコン２０の表示部２１に対する撮影画像（＝録画画像）の表示処理、
なお、この時点の送信表示画像は、録画処理が行われている画像である。
【０１７６】
（ステップＳ２４２の接続）
ステップＳ２４２の接続のモード遷移は、
（Ｙ）通信路非接続状態から、
（Ｐ）録画準備画像転送モードへの、
モード遷移である。
【０１７７】
このモード遷移は、リモコン２０のステップＳ１４２のモード遷移、すなわち、
（Ｙ）通信路非接続状態から、
（ａ１）録画準備画像表示モードへの、
モード遷移に対応して実行される。
【０１７８】
このモード遷移は、
（Ｐ）録画準備画像転送モードから、
（Ｙ）通信路非接続状態、
に遷移し、その後、ビデオカメラ１０と、リモコン２０間の通信路（少なくともＷｉ−Ｆｉ）が回復した場合に発生するモード遷移である。
【０１７９】
このモード遷移において、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（≠録画画像）の送信要求、
（３）ビデオカメラ１０による撮影画像（≠録画画像）のリモコン２０に対する送信処理、
（４）リモコン２０の表示部２１に対する撮影画像（≠録画画像）の表示処理、
なお、この時点の送信表示画像は、録画処理が行われていない画像である。
【０１８０】
［６．リモコンの表示部の表示データの遷移シーケンスについて］
次に、リモコン２０の表示部２１の表示データの遷移シーケンスについて説明する。
図１２は、リモコン２０の表示部２１の表示データの遷移シーケンスを説明する図である。
図１２に示す各ステップについて、順次、説明する。
【０１８１】
（ステップＳ３０１）
ステップＳ３０１に示す表示画像は、リモコン２０が、
（Ａ）録画準備状態の（ａ１）録画準備画像表示モード、
上記モードに設定されている場合の表示画像の例である。
【０１８２】
リモコン２０の表示部２１には、ビデオカメラ１０から送信される撮影画像（≠録画画像）が表示され、さらに、上部には、Ｗｉ−Ｆｉ、ＢＴの通信状況を示すアイコン等が表示される。
下部の録画実行／停止ランプは消灯しており、ユーザは、録画処理が実行されていないことを認識することができる。
【０１８３】
（ステップＳ３０２〜Ｓ３０３）
ステップＳ３０２は、ユーザによるリモコン２０に対する操作ステップであり、リモコン２０の操作部に対する録画開始操作実行ステップである。
【０１８４】
この操作を行うと、以下の処理が行われる。
（１）リモコン２０から、ビデオカメラ１０に対する録画開始要求の送信、
（２）ビデオカメラ１０による録画処理の開始、
（３）ビデオカメラ１０による撮影画像（＝録画画像）のリモコン２０に対する送信処理、
（４）リモコン２０の表示部２１に対する撮影画像（＝録画画像）の表示処理、
【０１８５】
ステップＳ３０２のユーザ操作によって、リモコン２０は、ステップＳ３０３に示すように、
（Ｂ）録画実行状態の（ｂ１）録画画像表示ノーマルモード、
に移行して、ビデオカメラ１０から送信される画像を表示部２１に表示する。
なお、この時点の送信表示画像は、録画処理が行われている画像である。
【０１８６】
図１２のステップＳ３０３に示すように、リモコン２０の表示部２１には、ビデオカメラ１０から送信される撮影画像（＝録画画像）が表示され、さらに、上部には、Ｗｉ−Ｆｉ、ＢＴの通信状況を示すアイコン等が表示される。
下部の録画実行／停止ランプは点灯しており、ユーザは、録画処理が実行されていることを認識することができる。
【０１８７】
（ステップＳ３０４）
ステップＳ３０４は、ユーザによるリモコン２０に対する操作ステップであり、リモコン２０の操作部に対する録画停止操作実行ステップである。
【０１８８】
この操作を行うと、以下の処理が行われる。
（１）リモコン２０から、ビデオカメラ１０に対する録画停止要求の送信、
（２）ビデオカメラ１０による録画処理の停止、
（３）ビデオカメラ１０による撮影画像（≠録画画像）のリモコン２０に対する送信処理、
（４）リモコン２０の表示部２１に対する撮影画像（≠録画画像）の表示処理、
【０１８９】
ステップＳ３０４のユーザ操作によって、リモコン２０は、ステップＳ３０１に示すように、
（Ａ）録画準備状態の（ａ１）録画準備画像表示モード、
に移行して、ビデオカメラ１０から送信される画像を表示部２１に表示する。
なお、この時点の送信表示画像は、録画処理が行われていない画像である。
【０１９０】
（ステップＳ３０５）
ステップＳ３０３において、録画処理実行中、すなわち、
（Ｂ）録画実行状態の（ｂ１）録画画像表示ノーマルモード、
このモードにおいて、リモコン２０の制御部は、ユーザに対するリモコンの操作が無い状態の継続時間を計測する。
【０１９１】
リモコン２０に対するユーザ操作が規定時間（例えば１０秒間）実行されなかった場合、ステップＳ３０５の判定がＹｅｓとなり、ステップＳ３０６に進む。
それ以外は、ステップＳ３０３のモード、すなわち、
（Ｂ）録画実行状態の（ｂ１）録画画像表示ノーマルモード、
このモードを継続する。
【０１９２】
（ステップＳ３０６）
ステップＳ３０５において、リモコン２０に対するユーザ操作が規定時間（例えば１０秒間）実行されなかった場合、ステップＳ３０５の判定がＹｅｓとなり、ステップＳ３０６に進む。
すなわち、
（Ｂ）録画実行状態の（ｂ２）録画画像非表示ノーマルモード、または、
（Ｂ）録画実行状態の（ｂ３）録画画像非表示スタミナモード、
これらいずれかのモードに移行する。
【０１９３】
リモコン２０とビデオカメラ１０間のブルートゥース（ＢＴ）通信が確立されている場合は、（ｂ３）録画画像非表示スタミナモードに移行し、確立されていない場合は、（ｂ２）録画画像非表示ノーマルモードに移行する。
いずれのモードにおいても、リモコン２０の表示部２１の表示データは同様のデータとなる。
【０１９４】
このモード遷移処理に際して、以下の処理が行われる。
（１）リモコン２０から、ビデオカメラ１０に対する録画画像送信停止要求の送信、
（２）ビデオカメラ１０による撮影画像（＝録画画像）のリモコン２０に対する送信処理の停止、
（３）リモコン２０の表示部２１に対する撮影画像（＝録画画像）の表示処理の停止、
なお、このモード遷移が発生しても、ビデオカメラ１０は、録画処理を継続する。
【０１９５】
このステップＳ３０６のモード、すなわち、
（Ｂ）録画実行状態の（ｂ２）録画画像非表示ノーマルモード、または、
（Ｂ）録画実行状態の（ｂ３）録画画像非表示スタミナモード、
これらいずれかのモードにおけるリモコン２０の表示部２１の表示データには、図１２のステップＳ３０６内に示すように、ビデオカメラ１０による撮影画像（＝録画画像）は含まれない。
【０１９６】
ただし、表示部上部の通信状況情報や、下部の録画実行／停止情報は録画実行中であることを示し、さらに録画態様情報も表示が継続される。
ユーザはこれらの情報に基づいて。録画処理が実行されていることを認識することができる。
【０１９７】
このステップＳ３０６に示すように画像の送信、表示処理を停止することで、リモコン２０とビデオカメラ１０のバッテリ消費が低減され、省電力化が実現される。
【０１９８】
（ステップＳ３０７）
ステップＳ３０６において、録画処理実行中、すなわち、
（Ｂ）録画実行状態の（ｂ２）録画画像表示ノーマルモード、または、（ｂ３）録画画像表示スタミナモード、
このモードにおいて、リモコン２０の制御部は、ユーザに対するリモコンの操作が無い状態の継続時間を計測する。
【０１９９】
リモコン２０に対するユーザ操作が規定時間（例えば６０秒間）実行されなかった場合、ステップＳ３０７の判定がＹｅｓとなり、ステップＳ３０８に進む。
それ以外は、ステップＳ３０７のモード、すなわち、
（Ｂ）録画実行状態の（ｂ２）録画画像表示ノーマルモード、または、（ｂ３）録画画像表示スタミナモード、
このモードを継続する。
【０２００】
（ステップＳ３０８）
ステップＳ３０７において、リモコン２０に対するユーザ操作が規定時間（例えば６０秒間）実行されなかった場合、ステップＳ３０７の判定がＹｅｓとなり、ステップＳ３０８に進む。
すなわち、
（Ｂ）録画実行状態の（ｂ４）録画画像非表示ブルートゥース（ＢＴ）単独通信モード、
このモードに移行する。
【０２０１】
このモード遷移処理に際して、以下の処理が行われる。
（１）リモコン２０とビデオカメラ１０とのＷｉ−Ｆｉ接続の停止、
（２）ビデオカメラ１０からのステータス情報の送信経路をＷｉ−ＦｉからＢＴに切り替える処理、
（３）リモコン２０からビデオカメラ１０に対する操作情報をＷｉ−Ｆｉを使用せず、全てＢＴ通信に切り替える処理、
なお、このモード遷移が発生しても、ビデオカメラ１０は、録画処理を継続する。
【０２０２】
このステップＳ３０８のモード、すなわち、
（Ｂ）録画実行状態の（ｂ４）録画画像非表示ブルートゥース（ＢＴ）単独通信モード、
このモードにおけるリモコン２０の表示部２１の表示データには、図１２のステップＳ３０８内に示すように、ビデオカメラ１０による撮影画像（＝録画画像）は含まれない。
【０２０３】
ただし、表示部上部の通信状況情報や、下部の録画実行／停止情報は録画実行中であることを示し、さらに録画態様情報も表示が継続される。
なお、このモードでは、リモコン２０とビデオカメラ１０との間のＷｉ−Ｆｉ通信は停止されるのでＷｉ−Ｆｉ通信が有効であることわ示すＷｉ−Ｆｉアイコンは消灯されることになる。
ユーザはこれらの情報に基づいて。録画処理が実行されていること、Ｗｉ−Ｆｉ通信が停止されていることを認識することができる。
【０２０４】
このステップＳ３０８に示すように画像の送信、表示処理を停止し、さらに、リモコン２０とビデオカメラ１０との間のＷｉ−Ｆｉ通信を停止することで、リモコン２０とビデオカメラ１０のバッテリ消費がさらに低減され、さらなる省電力化が実現される。
【０２０５】
（ステップＳ３０９）
ステップＳ３０９の処理は、
録画画像の非表示状態にあるステップＳ３０６、またはステップＳ３０８の状態において、ユーザがリモコン２０を操作して画像表示を要求する処理である。
【０２０６】
前述したように、録画実行時で、かつ録画画像の非表示状態にある場合、ユーザによるリモコン２０に対して行われる入力操作のほとんど、例えば何らかのスイッチ操作、あるいはタッチパネルとして機能する表示部に対するタッチ操作等は、すべて画像表示指示入力として解釈され、このステップＳ３０９の処理が実行される。
【０２０７】
このステップＳ３０９の処理に際して、以下の処理が実行される。
（１）ビデオカメラ１０と、リモコン２０間のＷｉ−Ｆｉ接続が停止中の場合は、Ｗｉ−Ｆｉ接続の回復処理、
（２）リモコン２０から、ビデオカメラ１０に対する撮影画像（＝録画画像）の送信要求、
（３）ビデオカメラ１０による撮影画像（＝録画画像）のリモコン２０に対する送信処理、
（４）リモコン２０の表示部２１に対する撮影画像（＝録画画像）の表示処理、
【０２０８】
これらの処理の結果、ステップＳ３０３に戻り、録画画像の表示が再開される。
なお、この時点の送信表示画像は、録画処理が行われている画像である。
【０２０９】
［７．その他の実施例について］
上述した実施例は、ビデオカメラ１０とリモコン２０を利用した実施例であるが、本開示のモード遷移に従った通信形態の変更構成は、その他の様々な通信装置間においても適用可能である。
【０２１０】
図１３を参照して、本開示のモード遷移に従った通信形態の変更処理を適用可能な一構成例について説明する。
図１３には、人が呑み込み可能なカプセルに画像撮影可能なカメラを格納したビデオカメラ内蔵カプセル５０と、このビデオカメラ内蔵カプセル５０と通信を実行するＰＣ７０を示している。
【０２１１】
ＰＣ７０と、ビデオカメラ内蔵カプセル５０は、Ｗｉ−Ｆｉ通信、およびブルートゥース（ＢＴ）通信を併用して様々な通信処理を実行する。
具体的には、以下の各処理を実行する。
（ａ）ビデオカメラ内蔵カプセル５０のビデオカメラの撮影した画像をＷｉ−Ｆｉ通信を介してＰＣ７０に送信する。
（ｂ）ビデオカメラ内蔵カプセル５０のビデオカメラの撮影画像情報や、位置情報等のステータス情報をＷｉ−Ｆｉ通信、またはＢＴ通信を介してＰＣ７０に送信する。
（ｃ）ＰＣ７０からのコマンド（画像撮影開始、停止、ズーム、フラッシュ撮影等のコマンド）をビデオカメラ内蔵カプセル５０内のビデオカメラにＷｉ−Ｆｉ通信、またはＢＴ通信を介して送信する。
【０２１２】
ビデオカメラ内蔵カプセル５０のビデオカメラと、ＰＣ７０間では、これらの様々なデータ通信が実行される。
このようなデータ通信において、先に説明したビデオカメラ１０とリモコン２０間のモード遷移に従った通信形態の変更を実行することで、バッテリ消費の低減による省電力を実現することができる。
【０２１３】
図１４を参照して、具体的なモード遷移例について説明する。
図１４には、ビデオカメラ内蔵カプセル５０のビデオカメラと、ＰＣ７０間における３つのモード対応のデータ通信態様を示している。
以下の３つのモードである。
（１）画像転送実行モード
（２）画像転送停止モード
（３）画像転送停止＆ブルートゥース（ＢＴ）単独通信モード
【０２１４】
上記３つのモードにおけるビデオカメラ内蔵カプセル５０のビデオカメラと、ＰＣ７０間におけるデータ通信態様を以下のように設定する。
（１）画像転送実行モード
この画像転送実行モードでは、以下のデータ通信を実行する。
（１ａ）ビデオカメラ内蔵カプセル５０のビデオカメラの撮影した画像をＷｉ−Ｆｉ通信を介してＰＣ７０に送信する。
（１ｂ）ビデオカメラ内蔵カプセル５０のビデオカメラの撮影画像情報や、位置情報等のステータス情報をＷｉ−Ｆｉ通信、またはＢＴ通信を介してＰＣ７０に送信する。
（１ｃ）ＰＣ７０からのコマンド（画像撮影開始、停止、ズーム、フラッシュ撮影等のコマンド）をビデオカメラ内蔵カプセル５０内のビデオカメラにＷｉ−Ｆｉ通信、またはＢＴ通信を介して送信する。
【０２１５】
このモードでは、ビデオカメラ内蔵カプセル５０のビデオカメラの撮影した画像が、Ｗｉ−Ｆｉ通信を介してＰＣ７０に送信され、送信画像がＰＣ７０の表示部に表示される。
【０２１６】
（２）画像転送停止モード
この画像転送停止モードでは、以下のデータ通信を実行する。
（２ａ）ビデオカメラ内蔵カプセル５０のビデオカメラの撮影画像情報や、位置情報等のステータス情報をＷｉ−Ｆｉ通信、またはＢＴ通信を介してＰＣ７０に送信する。
（２ｂ）ＰＣ７０からのコマンド（画像撮影開始、停止、ズーム、フラッシュ撮影等のコマンド）をビデオカメラ内蔵カプセル５０内のビデオカメラにＷｉ−Ｆｉ通信、またはＢＴ通信を介して送信する。
【０２１７】
このモードでは、
ビデオカメラ内蔵カプセル５０のビデオカメラの撮影した画像のＷｉ−Ｆｉ通信を介したＰＣ７０への送信処理は行われず、ＰＣ７０における撮影画像の表示処理も停止される。
この画像送信、表示処理の停止により、ビデオカメラ内蔵カプセル５０内のビデオカメラのバッテリや、ＰＣ７０のバッテリ消費が低減され、省電力が実現される。
【０２１８】
（３）画像転送停止＆ブルートゥース（ＢＴ）単独通信モード
この画像転送停止＆ブルートゥース（ＢＴ）単独通信モードでは、以下のデータ通信を実行する。
（３ａ）ビデオカメラ内蔵カプセル５０のビデオカメラの撮影画像情報や、位置情報等のステータス情報をＢＴ通信のみを利用してＰＣ７０に送信する。
（３ｂ）ＰＣ７０からのコマンド（画像撮影開始、停止、ズーム、フラッシュ撮影等のコマンド）をビデオカメラ内蔵カプセル５０内のビデオカメラにＢＴ通信のみを利用して送信する。
【０２１９】
このモードでは、
ビデオカメラ内蔵カプセル５０のビデオカメラの撮影した画像のＷｉ−Ｆｉ通信を介したＰＣ７０への送信処理は行われず、ＰＣ７０における撮影画像の表示処理も停止される。
さらに、その他のデータのＷｉ−Ｆｉ通信も停止される。
この画像送信、表示処理の停止、およびＷｉ−Ｆｉ通信の停止処理により、ビデオカメラ内蔵カプセル５０内のビデオカメラのバッテリや、ＰＣ７０のバッテリ消費がさらに低減され、さらなる省電力が実現される。
【０２２０】
図１３、図１４を参照して説明した構成以外にも、Ｗｉ−Ｆｉ通信とブルートゥース（ＢＴ）通信を併用する様々な通信システムにおいて、本開示のモードに応じた通信態様の変更処理を実行することで、各装置のバッテリ消費を低減し、省電力を実現することができる。
【０２２１】
［８．情報処理装置の構成について］
次に、本開示の情報処理システムを構成する各情報処理装置のハードウェア構成例について、図１５以下を参照して説明する。
【０２２２】
図１５は、図１に示すビデオカメラ１０と、リモコン２０の構成例を示すブロック図である。
ビデオカメラ１０は、制御部１０１、撮像部１０２、表示部１０３、入力部（操作部）１０４、出力部１０５、記憶部１０６、通信部１０７、計時部１０８を有する。
【０２２３】
制御部１０１は、画像の撮影制御、表示制御、データ送受信制御、モード変更制御等、ビデオカメラ１０において実行するデータ処理の制御を実行する。制御部１０１は、プログラム実行機能を有するＣＰＵを有し、記憶部１０６に格納されたアプリケーション（プログラム）に従った処理等を実行する。
具体的には、例えば先に説明したシーケンスに従った処理等を行なう。
【０２２４】
撮像部１０２は、画像撮影用の撮像部であり、動画や静止画の撮影を行う。撮影処理に際しては、制御部１０１の制御下で撮影開始タイミングや終了タイミングが制御される。
【０２２５】
表示部１０３は、例えば先に図６を参照して説明したように、リモコン２０との通信状況の情報、バッテリ残量情報等の表示に利用される。さらに、撮影画像の表示や、撮影済みの画像を記憶部１０６から読み出して表示する処理などに利用することも可能である。
【０２２６】
入力部１０４は、ユーザ操作可能な入力部であり、様々な操作指示などを行うための入力部である。タッチパネル形式の表示部も入力部の一部である。
出力部１０５は、画像出力、音声出力、その他、外部機器に対するデータ出力部等によって構成される。表示部１０３も出力部１０５の構成要素の１つである
【０２２７】
記憶部１０６は、ＲＡＭ、ＲＯＭ、その他の記録メディア等によって構成される。撮影画像の記憶領域として利用され、さらに、制御部１０１の実行するアプリケーションプログラムの格納領域としても利用される。さらに制御部１０１の実行するデータ処理に適用するパラメータ等の記憶領域、ワーク領域としても利用される。
【０２２８】
通信部１０７は、例えばリモコン２０等の外部機器との通信処理に利用される通信部であり、Ｗｉ−Ｆｉ、ブルートゥース（ＢＴ）等の無線通信の他、通信ケーブル等を利用した有線通信等、各種の通信経路を介したデータ通信に利用される。
図１５に示す例には、リモコン２０の通信部２０６との通信経路を示している。
【０２２９】
先に説明した実施例のように、これらの２つの装置の通信部を介して、様々な通信が実行される。
例えば、リモコン２０の操作情報等がビデオカメラ１０に送信され、ビデオカメラ１０による撮影開始、撮影停止等、の制御が行われる。さらに、撮影画像の送信開始、停止等のコマンドがリモコン２０からビデオカメラ１０に送信され、ビデオカメラ１０から撮影画像がリモコン２０に送信される。
【０２３０】
計時部１０８は、例えば、現在時間情報を示す時計機能の他、撮影開始からの経過時間を計測するタイマ機能等を含む。さらに、リモコン側からの操作情報の入力の無い期間の計測などにも利用される。
【０２３１】
リモコン２０は、制御部２０１、表示部２０２、入力部（操作部）２０３、出力部２０４、記憶部２０５、通信部２０６、計時部２０７を有する。
【０２３２】
制御部２０１は、リモコン２０において実行される画像の表示制御、データ送受信制御、操作情報の解析、モード変更制御等、リモコン２０において実行するデータ処理の制御を実行する。制御部２０１は、プログラム実行機能を有するＣＰＵを有し、記憶部２０５に格納されたアプリケーション（プログラム）に従った処理等を実行する。
具体的には、例えば先に説明したシーケンスに従った処理等を行なう。
【０２３３】
表示部２０２は、例えば先に図４を参照して説明したように、ビデオカメラ１０による撮影画像、ビデオカメラ１０との通信状況の情報、バッテリ残量情報等の表示に利用される。
【０２３４】
入力部２０３は、ユーザ操作可能な入力部であり、様々な操作指示などを行うための入力部である。タッチパネル形式の表示部も入力部の一部である。
出力部２０４は、画像出力、音声出力、その他、外部機器に対するデータ出力部等によって構成される。表示部２０２も出力部２０４の構成要素の１つである
【０２３５】
記憶部２０５は、ＲＡＭ、ＲＯＭ、その他の記録メディア等によって構成される。撮影画像の記憶領域として利用され、さらに、制御部２０１の実行するアプリケーションプログラムの格納領域としても利用される。さらに制御部２０１の実行するデータ処理に適用するパラメータ等の記憶領域、ワーク領域としても利用される。
【０２３６】
通信部２０６は、例えばビデオカメラ１０等の外部機器との通信処理に利用される通信部であり、Ｗｉ−Ｆｉ、ブルートゥース（ＢＴ）等の無線通信の他、通信ケーブル等を利用した有線通信等、各種の通信経路を介したデータ通信に利用される。
図１５に示す例には、ビデオカメラ１０の通信部１０７との通信経路を示している。
【０２３７】
先に説明した実施例のように、これらの２つの装置の通信部を介して、様々な通信が実行される。
例えば、リモコン２０の操作情報等がビデオカメラ１０に送信され、ビデオカメラ１０による撮影開始、撮影停止等、の制御が行われる。さらに、撮影画像の送信開始、停止等のコマンドがリモコン２０からビデオカメラ１０に送信され、ビデオカメラ１０から撮影画像がリモコン２０に送信される。
【０２３８】
計時部２０７は、例えば、現在時間情報を示す時計機能の他、撮影開始からの経過時間を計測するタイマ機能等を含む。さらに、リモコン２０に対するユーザ操作の無い期間の計測などにも利用される。
【０２３９】
図１６は、図１に示すリモコン２０や、図１３に示すＰＣとして適用可能な情報処理装置のハードウェア構成例を示す図である。
【０２４０】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行する制御部やデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【０２４１】
ＣＰＵ３０１はバス３０４を介して入出力インタフェース３０５に接続され、入出力インタフェース３０５には、各種スイッチ、キーボード、マウス、マイクロホンなどよりなる入力部３０６、ディスプレイ、スピーカなどよりなる出力部３０７が接続されている。ＣＰＵ３０１は、入力部３０６から入力される指令に対応して各種の処理を実行し、処理結果を例えば出力部３０７に出力する。
【０２４２】
入出力インタフェース３０５に接続されている記憶部３０８は、例えばハードディスク等からなり、ＣＰＵ３０１が実行するプログラムや各種のデータを記憶する。通信部３０９は、Ｗｉ−Ｆｉ通信、ブルートゥース（ＢＴ）通信、その他インターネットやローカルエリアネットワークなどのネットワークを介したデータ通信の送受信部として機能し、外部の装置と通信する。
【０２４３】
入出力インタフェース３０５に接続されているドライブ３１０は、磁気ディスク、光ディスク、光磁気ディスク、あるいはメモリカード等の半導体メモリなどのリムーバブルメディア３１１を駆動し、データの記録あるいは読み取りを実行する。
【０２４４】
［９．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２４５】
なお、本明細書において開示した技術は、以下のような構成をとることができる。
（１）  複数の異なる通信路を選択適用して外部装置との通信を実行する通信部と、
操作部と、
前記操作部に対する操作状態に応じて装置モードを変更する制御部を有し、
前記制御部は、
前記装置モードの変更に応じて、前記通信部を介した通信形態を変更する情報処理装置。
【０２４６】
（２）  前記制御部は、
前記操作部に対する無操作状態の継続期間が、予め規定した時間以上になった場合、第１の通信路による通信を停止し、前記第１の通信路よりも消費電力の小さい第２の通信路による通信のみを選択適用して外部装置との通信を実行する（１）に記載の情報処理装置。
【０２４７】
（３）  前記外部装置は、画像撮影処理を実行するカメラであり、
前記通信部は、前記第１の通信路を利用して、前記カメラの撮影画像を受信する構成であり、
前記制御部は、
前記操作部に対する無操作状態の継続期間が、予め規定した時間以上になった場合、前記第１の通信路を利用した画像受信処理を停止する（２）に記載の情報処理装置。
【０２４８】
（４）  前記情報処理装置は、
前記カメラから、前記第１の通信路を介して受信する前記カメラの撮影画像を表示する表示部を有し、
前記制御部は、
前記操作部に対する無操作状態の継続期間が、予め規定した時間以上になった場合、前記第１の通信路を利用した画像受信処理と、前記表示部に対する画像表示処理を停止する（３）に記載の情報処理装置。
【０２４９】
（５）  前記制御部は、
（ａ）前記カメラからの撮影画像の受信と表示処理を実行する画像表示モード、および、
（ｂ）前記カメラからの撮影画像の受信と表示処理を停止する画像非表示モード、
上記（ａ），（ｂ）の各装置モードの切り替え処理を、前記操作部に対する操作情報の入力、または無操作状態の継続期間に応じて実行する（３）または（４）に記載の情報処理装置。
【０２５０】
（６）  前記制御部は、
装置モードが、前記画像非表示モードに設定されている間において、さらに、無操作状態の継続期間が予め規定した時間に達した場合に、
前記カメラとの前記第１の通信路による通信を停止し、前記第２の通信路による通信のみを選択適用して前記カメラとの通信を実行するモードである、
（ｃ）第２の通信路単独通信モード、
に移行する（５）に記載の情報処理装置。
【０２５１】
）（７）  前記制御部は、
装置モードが、前記（ｃ）ブルートゥース（ＢＴ：ｂｌｕｅｔｏｏｔｈ（登録商標））単独通信モードに移行する場合、前記カメラとのワイファイ（Ｗｉ−Ｆｉ）通信路を介して送受信していた通信情報をブルートゥース（ＢＴ：ｂｌｕｅｔｏｏｔｈ（登録商標））通信路を介して送受信する設定とする通信路切り替え処理を実行する（６）に記載の情報処理装置。
【０２５２】
（８）  画像撮影を実行する撮像部と、
複数の異なる通信路を選択適用してリモコンとの通信を実行する通信部と、
前記リモコンの操作部に対する操作状態に応じて装置モードを変更する制御部を有し、
前記制御部は、
前記装置モードの変更に応じて、前記通信部を介した通信形態を変更する撮像装置。
【０２５３】
（９）  前記制御部は、
前記リモコンの操作部に対する無操作状態の継続期間が、予め規定した時間以上になった場合、第１の通信路による通信を停止し、前記第１の通信路よりも消費電力の小さい第２の通信路による通信のみを選択適用してリモコンとの通信を実行する（８）に記載の撮像装置。
【０２５４】
（１０）  前記通信部は、前記第１の通信路を利用して、前記撮像部による撮影画像を送信する構成であり、
前記制御部は、
前記リモコンの操作部に対する無操作状態の継続期間が、予め規定した時間以上になった場合、前記第１の通信路を利用した画像送信処理を停止する（９）に記載の撮像装置。
【０２５５】
（１１）  前記制御部は、
（ａ）前記撮像部の撮影画像の送信処理を実行する画像転送モード、および、
（ｂ）前記撮像部の撮影画像の送信処理を停止する画像非転送モード、
上記（ａ），（ｂ）の各装置モードの切り替え処理を、前記リモコンの操作部に対する操作情報の入力、または無操作状態の継続期間に応じて実行する（１０）に記載の撮像装置。
【０２５６】
（１２）  前記制御部は、
装置モードが、前記画像非転送モードに設定されている間において、さらに、前記リモコンの操作部に対する無操作状態の継続期間が予め規定した時間に達した場合に、
前記リモコンとの前記第１の通信路による通信を停止し、前記第２の通信路による通信のみを選択適用して前記リモコンとの通信を実行するモードである、
（ｃ）第２の通信路単独通信モード、
に移行する（１１）に記載の撮像装置。
【０２５７】
（１３）  前記制御部は、
装置モードが、前記（ｃ）第２の通信路単独通信モードに移行する場合、前記リモコンと第１の通信路を介して送受信していた通信情報を第２の通信路を介して送受信する設定とする通信路切り替え処理を実行する（１２）に記載の撮像装置。
【０２５８】
（１４）  撮像装置と、
前記撮像装置の制御を実行するリモコン装置を有する情報処理システムであり、
前記リモコン装置は、
複数の異なる通信路を選択適用して撮像装置との通信を実行する通信部と、
操作部と、
前記操作部に対する操作状態に応じて装置モードを変更する制御部を有し、
前記撮像装置は、
複数の異なる通信路を選択適用してリモコン装置との通信を実行する通信部と、
前記リモコン装置の操作部に対する操作状態に応じて装置モードを変更する制御部を有し、
前記リモコン装置、および撮像装置の制御部は、
前記装置モードの変更に応じて、各装置の通信部を介した通信形態を変更する情報処理システム。
【０２５９】
（１５）  前記撮像装置およびリモコン装置の各制御部は、
前記リモコン装置の操作部に対する無操作状態の継続期間が、予め規定した時間以上になった場合、第１の通信路による通信を停止し、前記第１の通信路よりも消費電力の小さい第２の通信路による通信のみを選択適用して相互通信を実行する請求項１４に記載の情報処理システム。
【０２６０】
（１６）  情報処理装置において実行する情報処理方法であり、
前記情報処理装置は、
複数の異なる通信路を選択適用して外部装置との通信を実行する通信部と、
操作部と、
前記操作部に対する操作状態に応じて装置モードを変更する制御部を有し、
前記制御部が、
前記装置モードの変更に応じて、前記通信部を介した通信形態を変更する情報処理方法。
【０２６１】
（１７）  撮像装置において実行する情報処理方法であり、
前記撮像装置は、
画像撮影を実行する撮像部と、
複数の異なる通信路を選択適用してリモコンとの通信を実行する通信部と、
前記リモコンの操作部に対する操作状態に応じて装置モードを変更する制御部を有し、
前記制御部が、
前記装置モードの変更に応じて、前記通信部を介した通信形態を変更する情報処理方法。
【０２６２】
（１８）  情報処理装置において情報処理を実行させるプログラムであり、
前記情報処理装置は、
複数の異なる通信路を選択適用して外部装置との通信を実行する通信部と、
操作部と、
前記操作部に対する操作状態に応じて装置モードを変更する制御部を有し、
前記プログラムは、前記制御部に、
前記装置モードの変更に応じて、前記通信部を介した通信形態を変更させるプログラム。
【０２６３】
（１９）  撮像装置において情報処理を実行させるプログラムであり、
前記撮像装置は、
画像撮影を実行する撮像部と、
複数の異なる通信路を選択適用してリモコンとの通信を実行する通信部と、
前記リモコンの操作部に対する操作状態に応じて装置モードを変更する制御部を有し、
前記プログラムは、前記制御部に、
前記装置モードの変更に応じて、前記通信部を介した通信形態を変更させるプログラム。
【０２６４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２６５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２６６】
以上、説明したように、本開示の一実施例の構成によれば、複数の異なる通信路を併用する通信装置間において、設定モードに応じて通信形態を変更することで消費電力の低減が実現される。
具体的には、例えば、撮像装置と、撮像装置の制御を実行するリモコン装置を有する情報処理システムにおいて、撮像装置およびリモコン装置の各通信部は、ワイファイ（Ｗｉ−Ｆｉ）通信と、ブルートゥース（ＢＴ：Ｂｌｕｅｔｏｏｔｈ（登録商標））通信を選択適用して相互通信を実行する構成であり、撮像装置およびリモコン装置の各制御部は、リモコン装置の操作部に対する無操作状態の継続期間が、予め規定した時間以上になった場合、ワイファイ（Ｗｉ−Ｆｉ）通信を停止し、ブルートゥース（ＢＴ：Ｂｌｕｅｔｏｏｔｈ（登録商標））通信のみを選択適用して相互通信を実行する。
本構成により、複数の異なる通信路を併用する通信装置間において、設定モードに応じて通信形態を変更することで消費電力の低減が実現される。
【符号の説明】
【０２６７】
１０  ビデオカメラ
２０  リモコン
２１  表示部
２２  操作部
５０  ビデオカメラ内蔵カプセル
７０  ＰＣ
１０１  制御部
１０２  撮像部
１０３  表示部
１０４  入力部（操作部）
１０５  出力部
１０６  記憶部
１０７  通信部
１０８  計時部
２０１  制御部
２０２  表示部
２０３  入力部（操作部）
２０４  出力部
２０５  記憶部
２０６  通信部
２０７  計時部
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  リムーバブルメディア
【図１】
0006786797.tif 000002
【図２】
0006786797.tif 000003
【図３】
0006786797.tif 000004
【図４】
0006786797.tif 000005
【図５】
0006786797.tif 000006
【図６】
0006786797.tif 000007
【図７】
0006786797.tif 000008
【図８】
0006786797.tif 000009
【図９】
0006786797.tif 000010
【図１０】
0006786797.tif 000011
【図１１】
0006786797.tif 000012
【図１２】
0006786797.tif 000013
【図１３】
0006786797.tif 000014
【図１４】
0006786797.tif 000015
【図１５】
0006786797.tif 000016
【図１６】
0006786797.tif 000017